(57)【要約】  この出願は、通信方法、通信装置およびシステムを提供する。通信方法は、端末デバイスにより、ブロードキャスト情報を受信するステップであって、ブロードキャスト情報が第1のセルのための第1のパラメータおよび第2のパラメータを含み、第1のパラメータが、補助アップリンク（SUL）キャリア送信をサポートする端末デバイスによって実行されるセル選択またはセル再選択に使用され、第2のパラメータが、SULキャリア送信をサポートしない端末デバイスによって実行されるセル選択またはセル再選択に使用される、ステップと、端末デバイスがSULキャリア送信をサポートする場合、端末デバイスにより、第1のパラメータに基づいてセル選択またはセル再選択を実行するステップ、または、端末デバイスがSULキャリア送信をサポートしない場合、端末デバイスにより、第2のパラメータに基づいてセル選択またはセル再選択を実行するステップとを含む。このようにして、SULキャリア送信をサポートする端末デバイスおよびSULキャリア送信をサポートしない端末デバイスの両方が考慮されて、端末デバイスがセル選択またはセル再選択を実行するのが早すぎたり遅すぎたりすることを防止し、それによってシステム性能を改善する。
2021503796.tif 000002
【特許請求の範囲】
【請求項１】
通信方法であって、前記方法が、
端末デバイスにより、ブロードキャスト情報を受信するステップであって、前記ブロードキャスト情報が第1のセルのための第1のパラメータおよび第2のパラメータを含み、前記第1のパラメータが、補助アップリンクSULキャリア送信をサポートする端末デバイスによって実行されるセル選択またはセル再選択に使用され、前記第2のパラメータが、SULキャリア送信をサポートしない端末デバイスによって実行されるセル選択またはセル再選択に使用される、ステップと、
前記端末デバイスがSULキャリア送信をサポートする場合、前記端末デバイスにより、前記第1のパラメータに基づいてセル選択またはセル再選択を実行するステップ、または
前記端末デバイスがSULキャリア送信をサポートしない場合、前記端末デバイスにより、前記第2のパラメータに基づいてセル選択またはセル再選択を実行するステップと
を含む、方法。
【請求項２】
前記第1のパラメータが、SULキャリア送信をサポートする前記端末デバイスの前記第1のセルが必要とする最小受信レベルを決定するために使用され、
前記第2のパラメータが、SULキャリア送信をサポートしない前記端末デバイスの前記第1のセルが必要とする最小受信レベルを決定するために使用される、請求項1に記載の方法。
【請求項３】
前記第1のパラメータが、SULキャリア送信をサポートする前記端末デバイスの前記第1のセルが必要とする最小受信レベル値を示すために使用され、かつ前記第2のパラメータが、SULキャリア送信をサポートしない前記端末デバイスの前記第1のセルが必要とする最小受信レベル値を示すために使用され、または
前記第1のパラメータが、SULキャリア送信をサポートしない前記端末デバイスの前記第1のセルが必要とする最小受信レベル値と、SULキャリア送信をサポートする前記端末デバイスの前記第1のセルが必要とする最小受信レベル値との差分を示すために使用され、かつ前記第2のパラメータが、SULキャリア送信をサポートしない前記端末デバイスの前記第1のセルが必要とする前記最小受信レベル値を示すために使用され、または
前記第1のパラメータが、SULキャリア送信をサポートする前記端末デバイスの前記第1のセルが必要とする最小受信レベル値を示すために使用され、かつ前記第2のパラメータが、SULキャリア送信をサポートしない前記端末デバイスの前記第1のセルが必要とする最小受信レベル値と、SULキャリア送信をサポートする前記端末デバイスの前記第1のセルが必要とする前記最小受信レベル値との差分を示すために使用される、請求項1または2に記載の方法。
【請求項４】
前記端末デバイスがSULキャリア送信をサポートする場合、前記端末デバイスにより、前記第1のパラメータに基づいてセル選択またはセル再選択を実行する前記ステップが、
前記端末デバイスにより、前記第1のパラメータに基づいて前記第1のセルのセル選択受信レベル値を計算するステップと、
前記端末デバイスにより、前記レベル値に基づいてセル選択またはセル再選択を実行するステップと
を含み、または
前記端末デバイスがSULキャリア送信をサポートしない場合、前記端末デバイスにより、前記第2のパラメータに基づいてセル選択またはセル再選択を実行する前記ステップが、
前記端末デバイスにより、前記第2のパラメータに基づいて前記第1のセルのセル選択受信レベル値を計算するステップと、
前記端末デバイスにより、前記レベル値に基づいてセル選択またはセル再選択を実行するステップと
を含む、請求項1から3のいずれか一項に記載の方法。
【請求項５】
前記第1のセルが、前記端末デバイスのサービングセルまたは隣接セルである、請求項1から4のいずれか一項に記載の方法。
【請求項６】
前記第1のパラメータの値が、前記第2のパラメータの値よりも小さい、請求項1または2に記載の方法。
【請求項７】
前記ブロードキャスト情報が前記第1のセルのための前記第1のパラメータおよび前記第2のパラメータを含むと決定した後、前記端末デバイスが、前記第1のセルによって使用される周波数帯がSUL周波数帯を含むと決定する、請求項1から6のいずれか一項に記載の方法。
【請求項８】
前記方法が、
前記第1のセルの受信信号強度を測定するステップ
をさらに含み、
前記第1のセルが前記端末デバイスの前記サービングセルであり、かつ前記端末デバイスがSULキャリア送信をサポートする場合、前記方法が、
前記受信信号強度が予め設定された閾値未満である場合、初期アクセス開始時に、前記端末デバイスにより、前記第1のセルの前記SUL周波数帯を使用してランダムアクセス手順を開始するステップ、または
前記受信信号強度が予め設定された閾値以上である場合、初期アクセス開始時に、前記端末デバイスにより、前記第1のセルの一次アップリンク周波数帯を使用してランダムアクセス手順を開始するステップ
を含む、請求項1から7のいずれか一項に記載の方法。
【請求項９】
前記端末デバイスにより、一次アップリンク周波数帯を使用してランダムアクセス手順を開始する前記ステップが、
前記端末デバイスによって前記一次アップリンク周波数帯を使用して開始された前記ランダムアクセス手順の失敗の数が、予め設定された第1の閾値を超える場合、前記端末デバイスにより、前記SUL周波数帯を使用して前記ランダムアクセス手順を開始するステップ
を含む、請求項8に記載の方法。
【請求項１０】
通信方法であって、前記方法が、
ネットワークデバイスにより、ブロードキャスト情報を送信するステップであって、前記ブロードキャスト情報が、第1のセルのための第1のパラメータおよび第2のパラメータを含み、前記第1のパラメータが、補助アップリンクSULキャリア送信をサポートする端末デバイスによって実行されるセル選択またはセル再選択に使用され、前記第2のパラメータが、SULキャリア送信をサポートしない端末デバイスによって実行されるセル選択またはセル再選択に使用される、ステップ
を含む、方法。
【請求項１１】
前記第1のパラメータが、SULキャリア送信をサポートする前記端末デバイスの前記第1のセルが必要とする最小受信レベルを決定するために使用され、
前記第2のパラメータが、SULキャリア送信をサポートしない前記端末デバイスの前記第1のセルが必要とする最小受信レベルを決定するために使用される、請求項10に記載の方法。
【請求項１２】
前記第1のパラメータが、SULキャリア送信をサポートする前記端末デバイスの前記第1のセルが必要とする最小受信レベル値を示すために使用され、かつ前記第2のパラメータが、SULキャリア送信をサポートしない前記端末デバイスの前記第1のセルが必要とする最小受信レベル値を示すために使用され、または
前記第1のパラメータが、SULキャリア送信をサポートしない前記端末デバイスの前記第1のセルが必要とする最小受信レベル値と、SULキャリア送信をサポートする前記端末デバイスの前記第1のセルが必要とする最小受信レベル値との差分を示すために使用され、かつ前記第2のパラメータが、SULキャリア送信をサポートしない前記端末デバイスの前記第1のセルが必要とする前記最小受信レベル値を示すために使用され、または
前記第1のパラメータが、SULキャリア送信をサポートする前記端末デバイスの前記第1のセルが必要とする最小受信レベル値を示すために使用され、かつ前記第2のパラメータが、SULキャリア送信をサポートしない前記端末デバイスの前記第1のセルが必要とする最小受信レベル値と、SULキャリア送信をサポートする前記端末デバイスの前記第1のセルが必要とする前記最小受信レベル値との差分を示すために使用される、請求項10または11に記載の方法。
【請求項１３】
前記第1のセルが、前記端末デバイスのサービングセルまたは隣接セルである、請求項10から12のいずれか一項に記載の方法。
【請求項１４】
前記第1のパラメータの値が、前記第2のパラメータの値よりも小さい、請求項10または11に記載の方法。
【請求項１５】
前記ネットワークデバイスによって送信された前記ブロードキャスト情報が前記第1のセルのための前記第1のパラメータおよび前記第2のパラメータを含むと決定された後、前記第1のセルによって使用される周波数帯がSUL周波数帯を含むと決定される、請求項10から14のいずれか一項に記載の方法。
【請求項１６】
請求項1から15のいずれか一項に記載の方法を実行するように構成された通信装置。
【請求項１７】
通信装置であって、
コンピュータプログラムを記憶するように構成されたメモリと、
前記メモリに記憶された前記コンピュータプログラムを実行して、前記装置が請求項1から15のいずれか一項に記載の方法を実行することを可能にするように構成されたプロセッサと
を備える通信装置。
【請求項１８】
プログラムまたは命令を含む可読記憶媒体であって、前記プログラムまたは前記命令がコンピュータ上で実行されると、請求項1から15のいずれか一項に記載の方法が実行される、可読記憶媒体。
【発明の詳細な説明】
【技術分野】
【０００１】
本願は、2017年11月16日に中国国家知識産権局に提出された「COMMUNICATION METHOD, COMMUNICATIONS APPARATUS, AND SYSTEM」と題された中国特許出願番号第201711140890.6号の優先権を主張するものであり、その全体が参照によって本明細書に組み込まれる。
【０００２】
本願は通信分野に関し、より具体的には、通信方法、通信装置およびシステムに関する。
【背景技術】
【０００３】
従来のセルの場合、アップリンク周波数はダウンリンク周波数と同じであるかまたは類似している。ダウンリンクの場合、基地局の送信電力は基本的に無制限であるが、端末デバイスの送信電力は、バッテリおよびコストなどの要因のために制限される。セルのカバレッジを増加させるために、基地局は、ダウンリンクのカバレッジを増加させるためにより大きな送信電力を送信に使用してもよいが、最大送信電力の制限などの理由のために、端末デバイスは、ダウンリンクと同じ（すなわち、送信電力を増加させる）方法を使用してアップリンクのカバレッジを増加させることができない。その結果、アップリンクのカバレッジはダウンリンクのカバレッジと一致しない。新しい技術では、元のアップリンクに加えて、セルは補助アップリンク（Supplemental Uplink、SUL）キャリアと呼ばれる、より低い周波数を有する追加のアップリンク周波数帯を有してもよい。端末デバイスは、SULを使用してアップリンク送信を実行してもよく、それによってアップリンクのカバレッジを改善する。
【０００４】
しかし、いくつかの端末デバイスは、アップリンク送信を実行する際にSULをサポートし、いくつかの端末デバイスは、アップリンク送信を実行する際にSULをサポートしない。したがって、端末デバイスがセル選択またはセル再選択を実行する場合、端末デバイスがセル選択またはセル再選択を実行するのが早すぎたり遅すぎたりすることを防止し、かつシステム性能が低下するのを回避するために、SULキャリア送信をサポートする端末デバイスおよびSULキャリア送信をサポートしない端末デバイスの両方を考慮する必要がある。
【発明の概要】
【課題を解決するための手段】
【０００５】
本願は、端末デバイスがセル選択またはセル再選択を実行するのが早すぎたり遅すぎたりすることを防止するための通信方法、通信装置およびシステムを提供する。
【０００６】
第1の態様によれば、通信方法が提供される。この方法は、端末デバイスにより、ブロードキャスト情報を受信するステップであって、ブロードキャスト情報が第1のセルのための第1のパラメータおよび第2のパラメータを含み、第1のパラメータが、補助アップリンクSULキャリア送信をサポートする端末デバイスによって実行されるセル選択またはセル再選択に使用され、第2のパラメータが、SULキャリア送信をサポートしない端末デバイスによって実行されるセル選択またはセル再選択に使用される、ステップと、端末デバイスがSULキャリア送信をサポートする場合、端末デバイスにより、第1のパラメータに基づいてセル選択またはセル再選択を実行するステップ、または、端末デバイスがSULキャリア送信をサポートしない場合、端末デバイスにより、第2のパラメータに基づいてセル選択またはセル再選択を実行するステップとを含む。
【０００７】
本願のこの実施形態における通信方法によれば、ブロードキャスト情報は、第1のセルのための第1のパラメータおよび第2のパラメータを含む。第1のパラメータは、補助アップリンクSULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。このようにして、端末デバイスがSULキャリア送信をサポートする場合に、端末デバイスは、第1のパラメータに基づいてセル選択またはセル再選択を実行し、または、端末デバイスがSULキャリア送信をサポートしない場合に、端末デバイスは、第2のパラメータに基づいてセル選択またはセル再選択を実行する。したがって、SULキャリア送信をサポートする端末デバイスおよびSULキャリア送信をサポートしない端末デバイスの両方を考慮して、端末デバイスがセル選択またはセル再選択を実行するのが早すぎたり遅すぎたりすることを防止し、それによってシステム性能を改善することができる。
【０００８】
第1の態様を参照して、第1の態様のいくつかの実施態様では、第1のパラメータは、SULキャリア送信をサポートする端末デバイスの第1のセルが必要とする最小受信レベルを決定するために使用され、第2のパラメータは、SULキャリア送信をサポートしない端末デバイスの第1のセルが必要とする最小受信レベルを決定するために使用される。
【０００９】
第1の態様を参照して、第1の態様のいくつかの実施態様では、第1のパラメータは、SULキャリア送信をサポートする端末デバイスの第1のセルが必要とする最小受信レベル値を示すために使用され、かつ第2のパラメータは、SULキャリア送信をサポートしない端末デバイスの第1のセルが必要とする最小受信レベル値を示すために使用され、または、第1のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用され、かつ第2のパラメータは、SULキャリア送信をサポートしない端末デバイスの第1のセルが必要とする最小受信レベル値を示すために使用され、または、第1のパラメータは、SULキャリア送信をサポートする端末デバイスの第1のセルが必要とする最小受信レベル値を示すために使用され、かつ第2のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用される。
【００１０】
本願のこの実施形態の通信方法によれば、第1のセルが必要とする最小受信レベルは、異なる能力を有する端末デバイスが第1のセルにおいてアップリンク送信を実行する場合に、第1のパラメータまたは第2のパラメータを使用して決定され、これにより、異なる能力を有する端末デバイスは、セル選択またはセル再選択を実行する場合に異なる決定方法または基準を有してもよい。このようにして、異なる能力を有する端末デバイスを考慮して、端末デバイスがセル選択またはセル再選択を実行するのが早すぎたり遅すぎたりすることを防止し、それによってシステム性能を改善することができる。
【００１１】
第1の態様を参照して、第1の態様のいくつかの実施態様では、端末デバイスがSULキャリア送信をサポートする場合、端末デバイスにより、第1のパラメータに基づいてセル選択またはセル再選択を実行するステップは、端末デバイスにより、第1のパラメータに基づいて第1のセルのセル選択受信レベル値を計算するステップと、端末デバイスにより、レベル値に基づいてセル選択またはセル再選択を実行するステップとを含み、または、端末デバイスがSULキャリア送信をサポートしない場合、端末デバイスにより、第2のパラメータに基づいてセル選択またはセル再選択を実行するステップは、端末デバイスにより、第2のパラメータに基づいて第1のセルのセル選択受信レベル値を計算するステップと、端末デバイスにより、レベル値に基づいてセル選択またはセル再選択を実行するステップとを含む。
【００１２】
本願のこの実施形態における通信方法によれば、異なる能力を有する端末デバイスは、セル選択またはセル再選択を実行する場合に、異なるレベル値に基づいてセル選択またはセル再選択を実行する。このようにして、異なる能力を有する端末デバイスを考慮して、端末デバイスがセル選択またはセル再選択を実行するのが早すぎたり遅すぎたりすることを防止し、それによってシステム性能を改善することができる。
【００１３】
第1の態様を参照して、第1の態様のいくつかの実施態様では、第1のセルは端末デバイスのサービングセルまたは隣接セルである。
【００１４】
第1の態様を参照して、第1の態様のいくつかの実施態様では、第1のパラメータの値は第2のパラメータの値よりも小さい。
【００１５】
第1の態様を参照して、第1の態様のいくつかの実施態様では、ブロードキャスト情報が第1のセルのための第1のパラメータおよび第2のパラメータを含むと決定した後、端末デバイスは、第1のセルによって使用される周波数帯がSUL周波数帯を含むと決定する。
【００１６】
本願のこの実施形態における通信方法によれば、端末デバイスは、ブロードキャスト情報が第1のパラメータおよび第2のパラメータを含むと決定した後、第1のセルによって使用される周波数帯がSUL周波数帯を含むと決定してもよい。専用の指示情報は必要とされず、これによりシグナリングオーバーヘッドが削減されてもよい。
【００１７】
第1の態様を参照して、第1の態様のいくつかの実施態様では、第1のセルの受信信号強度値が測定される。第1のセルが端末デバイスのサービングセルであり、かつ端末デバイスがSULキャリア送信をサポートする場合、この方法は、受信信号強度値が予め設定された閾値未満である場合、初期アクセス開始時に、端末デバイスにより、第1のセルのSUL周波数帯を使用してランダムアクセス手順を開始するステップ、または、受信信号強度値が予め設定された閾値以上である場合、初期アクセス開始時に、端末デバイスにより、第1のセルの一次アップリンク周波数帯を使用してランダムアクセス手順を開始するステップを含む。
【００１８】
本願のこの実施形態における通信方法によれば、端末デバイスは、第1のセルの受信信号強度値および予め設定された閾値を決定することによって、ランダムアクセス手順が開始されるセルを使用してアップリンク周波数帯を決定し、それによって、端末デバイスによってランダムアクセス手順を開始するステップの成功率を高める。
【００１９】
第1の態様を参照して、第1の態様のいくつかの実施態様では、端末デバイスにより、一次アップリンク周波数帯を使用してランダムアクセス手順を開始するステップは、端末デバイスによって一次アップリンク周波数帯を使用して開始されたランダムアクセス手順の失敗の数が、予め設定された第1の閾値を超える場合、端末デバイスにより、SUL周波数帯を使用してランダムアクセス手順を開始するステップを含む。
【００２０】
本願のこの実施形態における通信方法によれば、端末デバイスはまた、端末デバイスによって一次アップリンク周波数帯を使用して開始されたランダムアクセス手順の失敗の数が、予め設定された第1の閾値を超えたかどうかを決定することによって、端末デバイスによってランダムアクセス手順を開始するステップの成功率を高めてもよい。
【００２１】
第2の態様によれば、通信方法が提供される。この方法は、ネットワークデバイスにより、ブロードキャスト情報を送信するステップを含み、ブロードキャスト情報は、第1のセルのための第1のパラメータおよび第2のパラメータを含み、第1のパラメータは、補助アップリンクSULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。
【００２２】
本願のこの実施形態における通信方法によれば、ブロードキャスト情報は、第1のセルのための第1のパラメータおよび第2のパラメータを含む。第1のパラメータは、補助アップリンクSULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。このように、SULキャリア送信をサポートする端末デバイスおよびSULキャリア送信をサポートしない端末デバイスの両方を考慮して、端末デバイスがセル選択またはセル再選択を実行するのが早すぎたり遅すぎたりすることを防止し、それによってシステム性能を改善することができる。
【００２３】
第2の態様を参照して、第2の態様のいくつかの実施態様では、第1のパラメータは、SULキャリア送信をサポートする端末デバイスの第1のセルが必要とする最小受信レベルを決定するために使用され、第2のパラメータは、SULキャリア送信をサポートしない端末デバイスが第1のセルにおいてアップリンク送信を実行する場合に、第1のセルが必要とする最小受信レベルを決定するために使用される。
【００２４】
第2の態様を参照して、第2の態様のいくつかの実施態様では、第1のパラメータは、SULキャリア送信をサポートする端末デバイスの第1のセルが必要とする最小受信レベル値を示すために使用され、かつ第2のパラメータは、SULキャリア送信をサポートしない端末デバイスの第1のセルが必要とする最小受信レベル値を示すために使用され、または、第1のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用され、かつ第2のパラメータは、SULキャリア送信をサポートしない端末デバイスの第1のセルが必要とする最小受信レベル値を示すために使用され、または、第1のパラメータは、SULキャリア送信をサポートする端末デバイスの第1のセルが必要とする最小受信レベル値を示すために使用され、かつ第2のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用される。
【００２５】
本願のこの実施形態における通信方法によれば、異なる能力を有する端末デバイスの第1のセルが必要とする最小受信レベルは、第1のパラメータまたは第2のパラメータを使用して決定され、これにより、異なる能力を有する端末デバイスは、セル選択またはセル再選択を実行する場合に異なる決定方法または基準を有してもよい。このようにして、異なる能力を有する端末デバイスを考慮して、端末デバイスがセル選択またはセル再選択を実行するのが早すぎたり遅すぎたりすることを防止し、それによってシステム性能を改善することができる。
【００２６】
第2の態様を参照して、第2の態様のいくつかの実施態様では、第1のセルは端末デバイスのサービングセルまたは隣接セルである。
【００２７】
第2の態様を参照して、第2の態様のいくつかの実施態様では、第1のパラメータの値は第2のパラメータの値よりも小さい。
【００２８】
第2の態様を参照して、第2の態様のいくつかの実施態様では、ネットワークデバイスによって送信されたブロードキャスト情報が第1のセルのための第1のパラメータおよび第2のパラメータを含むと決定された後、第1のセルによって使用される周波数帯がSUL周波数帯を含むと決定される。
【００２９】
本願のこの実施形態における通信方法によれば、ブロードキャスト情報が第1のパラメータおよび第2のパラメータを含むと決定された後、第1のセルによって使用される周波数帯がSUL周波数帯を含むと決定されてもよい。専用の指示情報は必要とされず、これによりシグナリングオーバーヘッドが削減されてもよい。
【００３０】
第3の態様によれば、装置が提供される。本願において提供される装置は、前述の方法の態様で端末デバイスの動作を実施する機能を有し、前述の方法の態様で説明されたステップまたは機能を実行するように構成された対応する手段（means）を含む。ステップまたは機能は、ソフトウェア、ハードウェア、またはハードウェアとソフトウェアとの組合せによって実施されてもよい。
【００３１】
可能な設計では、装置は1つ以上のプロセッサと通信ユニットとを含む。1つ以上のプロセッサは、対応する機能を前述の方法で実行する際に、例えばパラメータに基づいてセル選択またはセル再選択を実行する際に、装置をサポートするように構成される。通信ユニットは、例えばブロードキャスト情報を受信するなどの受信および／または送信の機能を実施するために、装置と別のデバイスとの間の通信をサポートするように構成される。
【００３２】
任意には、装置は1つ以上のメモリをさらに含んでもよい。メモリは、プロセッサに接続されるように構成され、装置に必要なプログラムの命令および／またはデータを記憶する。1つ以上のメモリは、プロセッサと統合されてもよく、またはプロセッサから独立して配置されてもよい。これは、本願において限定されない。
【００３３】
装置は、インテリジェント端末、ウェアラブルデバイスなどであってもよく、通信ユニットは、送受信機または送受信回路であってもよい。任意には、送受信機は、入力／出力回路またはインタフェースであってもよい。
【００３４】
あるいは、装置は通信チップであってもよい。通信ユニットは、通信チップの入力／出力回路またはインタフェースであってもよい。
【００３５】
別の可能な設計では、端末デバイスは、送受信機、プロセッサおよびメモリを含む。プロセッサは信号を送受信するように送受信機を制御するように構成され、メモリはコンピュータプログラムを記憶するように構成され、プロセッサは実行のためにコンピュータプログラムをメモリから呼び出すように構成され、これにより、端末デバイスは、第1の態様または第1の態様の可能な実施態様のいずれか1つにおける端末デバイスによって実現される方法を実行する。
【００３６】
第4の態様によれば、ネットワークデバイスが提供される。本願において提供されるネットワークデバイスは、前述の方法の態様でネットワークデバイスの動作を実施する機能を有し、前述の方法の態様で説明されたステップまたは機能を実行するように構成された対応する手段（means）を含む。ステップまたは機能は、ソフトウェア、ハードウェア、またはハードウェアとソフトウェアとの組合せによって実施されてもよい。
【００３７】
可能な設計では、ネットワークデバイスは1つ以上のプロセッサと通信ユニットとを含む。1つ以上のプロセッサは、例えばブロードキャスト情報が第1のパラメータおよび第2のパラメータを含むことを決定する前述の方法において対応する機能を実施する際に、ネットワークデバイスをサポートするように構成される。通信ユニットは、例えばブロードキャスト情報を送信するなどの受信および／または送信の機能を実施するために、ネットワークデバイスと別のデバイスとの間の通信をサポートするように構成される。
【００３８】
任意には、ネットワークデバイスは1つ以上のメモリをさらに含んでもよい。メモリは、プロセッサに接続されるように構成され、ネットワークデバイスに必要なプログラムの命令および／またはデータを記憶する。1つ以上のメモリは、プロセッサと統合されてもよく、またはプロセッサから独立して配置されてもよい。これは、本願において限定されない。
【００３９】
ネットワークデバイスは、基地局、gNB、TRPなどであってもよく、通信ユニットは、送受信機または送受信回路であってもよい。任意には、送受信機は、入力／出力回路またはインタフェースであってもよい。
【００４０】
あるいは、ネットワークデバイスは通信チップであってもよい。通信ユニットは、通信チップの入力／出力回路またはインタフェースであってもよい。
【００４１】
別の可能な設計では、ネットワークデバイスは、送受信機、プロセッサおよびメモリを含む。プロセッサは信号を送受信するように送受信機を制御するように構成され、メモリはコンピュータプログラムを記憶するように構成され、プロセッサは実行のためにコンピュータプログラムをメモリから呼び出すように構成され、これにより、ネットワークデバイスは、第2の態様または第2の態様の可能な実施態様のいずれか1つにおけるネットワークデバイスによって実現される方法を実行する。
【００４２】
第5の態様によれば、システムが提供される。システムは、前述の端末デバイスおよびネットワークデバイスを含む。
【００４３】
第6の態様によれば、コンピュータ可読記憶媒体が提供される。コンピュータ可読記憶媒体は、コンピュータプログラムを記憶するように構成され、コンピュータプログラムは、第1の態様または第1の態様の可能な実施態様のいずれか1つによる方法を実行するために使用される命令を含む。
【００４４】
第7の態様によれば、コンピュータ可読記憶媒体が提供される。コンピュータ可読記憶媒体は、コンピュータプログラムを記憶するように構成され、コンピュータプログラムは、第2の態様または第2の態様の可能な実施態様のいずれか1つによる方法を実行するために使用される命令を含む。
【００４５】
第8の態様によれば、コンピュータプログラム製品が提供される。コンピュータプログラム製品は、コンピュータプログラムコードを含む。コンピュータプログラムコードがコンピュータ上で実行される場合、コンピュータは、第1の態様または第1の態様の可能な実施態様のいずれか1つによる方法を実行することが可能になる。
【００４６】
第9の態様によれば、コンピュータプログラム製品が提供される。コンピュータプログラム製品は、コンピュータプログラムコードを含む。コンピュータプログラムコードがコンピュータ上で実行される場合、コンピュータは、第2の態様または第2の態様の可能な実施態様のいずれか1つによる方法を実行することが可能になる。
【図面の簡単な説明】
【００４７】
【図１】本願の一実施形態に適用可能なSULセルの概略図である。
【図２】本願の一実施形態による通信方法の概略的なブロック図である。
【図３】本願の一実施形態による通信方法の別の概略的な相互作用図である。
【図４】本願の一実施形態による通信方法のさらに別の概略的な相互作用図である。
【図５】本願の一実施形態による通信方法のさらに別の概略的なブロック図である。
【図６】本願の別の実施形態による通信方法の概略的な相互作用図である。
【図７】本願の一実施形態による端末デバイスの概略図である。
【図８】本願の一実施形態によるネットワークデバイスの概略構成図である。
【図９】本願の一実施形態による通信装置の概略構成図である。
【発明を実施するための形態】
【００４８】
添付の図面を参照して、本願の技術的解決策を以下に説明する。
【００４９】
本願の実施形態の技術的解決策は、移動通信用グローバルシステム（Global System of Mobile communication、GSM（登録商標））、符号分割多重アクセス（Code Division Multiple Access、CDMA）システム、広帯域符号分割多重アクセス（Wideband Code Division Multiple Access、WCDMA（登録商標））システム、汎用パケット無線サービス（General Packet Radio Service、GPRS）、ロングタームエボリューション（Long Term Evolution、LTE）システム、LTE周波数分割複信（Frequency Division Duplex、FDD）システム、LTE時分割複信（Time Division Duplex、TDD）システム、ユニバーサル移動体通信システム（Universal Mobile Telecommunication System、UMTS）、ワールドワイド・インターオペラビリティ・フォー・マイクロウェーブ・アクセス（Worldwide Interoperability for Microwave Access、WiMAX）通信システム、将来の第5世代（5th Generation、5G）システム、または新しい無線（New Radio、NR）システムなどの、様々な通信システムに適用されてもよい。
【００５０】
本願の実施形態における端末デバイスは、ユーザ機器、アクセス端末、加入者ユニット、加入者局、移動局、モバイルコンソール、遠隔局、遠隔端末、モバイルデバイス、ユーザ端末、端末、無線通信デバイス、ユーザエージェント、またはユーザ装置と呼ばれてもよい。あるいは、端末デバイスは、携帯電話、コードレス電話、セッション開始プロトコル（Session Initiation Protocol、SIP）電話、無線ローカルループ（Wireless Local Loop、WLL）局、携帯情報端末（Personal Digital Assistant、PDA）、無線通信機能を有するハンドヘルドデバイス、計算デバイス、無線モデムに接続された別の処理デバイス、車載デバイス、ウェアラブルデバイス、将来の5Gネットワークにおける端末デバイス、または将来の進化した公衆陸上移動体ネットワーク（Public Land Mobile Network、PLMN）における端末デバイスであってもよい。これは、本願の実施形態において限定されない。
【００５１】
本願の実施形態におけるネットワークデバイスは、端末デバイスと通信するように構成されたデバイスであってもよい。ネットワークデバイスは、移動通信用グローバルシステム（Global System of Mobile communication、GSM（登録商標））または符号分割多重アクセス（Code Division Multiple Access、CDMA）システムにおける基地局（Base Transceiver Station、BTS）であってもよく、または、広帯域符号分割多重アクセス（Wideband Code Division Multiple Access、WCDMA（登録商標））システムにおけるノードB（NodeB、NB）であってもよく、または、LTEシステムにおける進化したノードB（Evolutional NodeB、eNBまたはeNodeB）であってもよく、または、クラウド無線アクセスネットワーク（Cloud Radio Access Network、CRAN）シナリオにおける無線コントローラであってもよく、または、中継局、アクセスポイント、車載デバイス、ウェアラブルデバイス、将来の5Gネットワークにおけるネットワークデバイス、または将来の進化したPLMNにおけるネットワークデバイスであってもよい。これは、本願の実施形態において限定されない。
【００５２】
本願の実施形態は通信方法を提供し、この方法は、セル選択またはセル再選択に適用されてもよい。
【００５３】
現在、端末デバイスの電源が投入されたかまたは無線リンク障害が発生した場合、端末デバイスはセル探索処理を実行し、かつ可能な限り早くキャンプオンするために適切なセルを選択する。この処理は「セル選択」と呼ばれる。セル探索処理では、端末デバイスはセルのシステム情報を読み取り、Qrxlevmeas、Qrxlevmin、Qrxlevminoffsetなどのパラメータを取得する。端末デバイスは、セルが基準Sに従った適切なセルであるかどうかを評価する。適切なセル、すなわち基準Sを満たすセルが発見されると、セル選択処理は完了する。セルが適切なセルではない場合、端末デバイスは、端末デバイスが適切なセルを発見し、かつそのセルにキャンプオンするまで探索を継続する。
【００５４】
基準S式はSrxlev＞0であり、すなわち、セルのS値が0を超える場合、そのセルが適切なセルである、つまりキャンプオンに適したセルであることを示す。Srxlevの計算式は、
Srxlev＝Qrxlevmeas−（Qrxlevmin−Qrxlevminoffset）−Pcompensationであり、式中、
Srxlevは、計算によって取得されたセル選択受信レベル値であり、
Qrxlevmeasは、端末デバイスによって測定された受信信号強度値であり、その値は測定された基準信号受信電力（Reference Signal Receiving Power、RSRP）であり、
Qrxlevminは、セルが必要とする最小受信信号強度値であり、
Pcompensationは、（PEMAX−PUMAX）または0のうちのより大きい値であり、PEMAXは、端末デバイスがセルにアクセスする場合にシステムによって設定される最大許容送信電力であり、PUMAXは、端末デバイスのレベルに基づいて指定された最大出力電力を指し、
QrxlevminOffsetは、端末デバイスが、仮想私設移動体ネットワーク（Virtual Private Mobile Network、VPMN）に正常にキャンプしている間に定期的に優先度の高い公衆陸上移動体ネットワーク（Public Land Mobile Network、PLMN）を探索する場合に実行されるセル選択評価の間にのみ有効であり、このパラメータは、Qrxlevminへのオフセットを有する。
【００５５】
なお、通信プロトコルバージョンの進化のために、何らかの理由により基準S式およびSrxlevの計算式が変わる場合がある。本明細書に提供される式は例にすぎず、これらの例は式に制限を課すものではない。
【００５６】
端末デバイスの移動とともに、端末デバイスがセルにキャンプオンした後、端末デバイスは、より高い優先度またはより良い信号強度を有する別のセルへの移動が必要な場合がある。これはセル再選択処理である。セル選択は、適切なセルを可能な限り早く発見する処理である。セル再選択は、より適切なセルを選択する処理である。端末デバイスの電力を節約するために、測定基準がプロトコルにおいて以下のように定義されており、
端末デバイスは、キャンプされたセルよりも優先順位が高い周波数層またはシステムを常に測定し、
キャンプされたセルにおいて、Srxlev≦Sintrasearchである場合、端末デバイスは周波数内セル測定を開始し、式中、Sintrasearchは周波数内測定閾値であり、
キャンプしたセルにおいて、Srxlev≦SnonintrasearchであるかまたはSnonintrasearchが構成されていない場合、端末デバイスは、優先度が同じ周波数およびシステム、または優先度が低い周波数およびシステムの測定を開始する。
【００５７】
測定後、端末デバイスは、新しいセルに再選択するかどうかを決定する。再選択基準は以下の通りであり、
優先度の高い周波数またはシステムの再選択基準は、ターゲット周波数セルにおいて、Srxlev＞Threshx-highであり、これは一定期間持続し、Threshx-highは、現在のサービングキャリアから優先度の高い周波数への再選択の閾値を指し、
優先度の低い周波数またはシステムの再選択基準は、キャンプされたセルにおいて、Srxlev＜Threshserving-lowであり、これは一定期間持続し、Threshserving-lowは、現在のサービングキャリアから優先度の低い周波数への再選択の閾値を指し、
優先度が同じ周波数またはシステムの再選択基準は、周波数内セル再選択のランキング（Ranking）基準に基づく、優先度が同じ周波数のセルへのセル再選択である。周波数内セル再選択のRanking基準は以下の通りであり、Rsは現在のキャンプされたセルのranking値であり、Rnは隣接セルのranking値であり、
Rs＝Qmeas_s＋Qhyst、Rn＝Qmeas_s−Qoffsetであり、式中、
Qhystは、ピンポン再選択を防止するために使用されるヒステリシス値であり、
Qmeas_sは、端末デバイスによって測定されたキャンプされたセルの受信信号強度値であり、
周波数内セルの場合、Qoffsetの値はQoffsets_nであり、Qoffsets_nは2つのセルの受信信号品質要件の差分であり、または周波数間セルの場合、Qoffsetの値はQoffsets_n＋Qoffsetfrequencyであり、Qoffsetfrequencyは2つの周波数間の周波数オフセットである。
【００５８】
端末デバイスは、セル選択の基準Sを満たす全てのセルのranking値をソートし、かつ最大ranking値を有するセルを再選択する。
【００５９】
現在のキャンプされたセルおよび隣接セルによって必要とされる構成パラメータは、現在のキャンプされたセルのシステムメッセージにブロードキャストされ、これにより、端末デバイスはRsおよびRnなどのパラメータを計算することができる。
【００６０】
なお、通信プロトコルバージョンの進化のために、RsおよびRnの計算式が何らかの理由で変わる場合がある。本明細書に提供される式は例にすぎず、これらの例は式に制限を課すものではない。
【００６１】
しかし、現在の標準的な考察では、新しい技術が出現しており、すなわち、元のアップリンク周波数帯に加えて、セルは、より低い周波数の追加のアップリンク周波数帯、つまり補助アップリンク（Supplemental Uplink、SUL）キャリアを有してもよく、端末デバイスは、追加のアップリンク周波数帯を使用してアップリンク送信を実行してもよく、それによって、アップリンクのカバレッジをダウンリンクのカバレッジと一致させることが可能になるように、アップリンクのカバレッジが増加する。
【００６２】
本願のこの実施形態では、簡潔にするために、セルによって使用される周波数帯がSUL周波数帯を含む場合、セルはSULセルと呼ばれ、別のセルは共通セルと呼ばれる。SULセルの場合、SUL周波数帯と一次アップリンク（Uplink、UL）周波数帯とが含まれる。UL周波数帯は一般的なアップリンク周波数帯であり、SUL周波数帯はUL周波数帯とは異なる。図1は、SULセルの概略図である。
【００６３】
SULセルのアップリンクのカバレッジはUL周波数帯およびSUL周波数帯を含むことは、図1から知ることができる。UL周波数帯は区域1のみをカバーすることができ、SUL周波数帯は区域2もカバーすることができる。SULセルではSUL周波数帯が導入されており、これにより、セルのダウンリンク（Downlink、DL）のカバレッジはアップリンクのカバレッジとほぼ同じであることを知ることができる。
【００６４】
端末デバイスには様々な機能があるため、いくつかの端末デバイスはSULキャリア送信をサポートし、いくつかの端末デバイスはSULキャリア送信をサポートしない。SULセルでは、SULキャリア送信をサポートする端末デバイスが区域2に位置する場合、端末デバイスは、SUL周波数帯のみを使用してランダムアクセス手順を開始してもよく、SULキャリア送信をサポートしない端末デバイスは、UL周波数帯のみを使用してアップリンク送信を実行してもよい。
【００６５】
なお、本明細書における「SULキャリア送信をサポートしない端末デバイス」とは、端末デバイスがSUL機能をサポートしない場合、または端末デバイスがSUL機能をサポートするがSULセルのSUL周波数帯をサポートしない場合を含む。
【００６６】
現在の標準では、セル選択または再選択の機構に対するSUL周波数帯の影響は考慮されていない。現在のセル選択または再選択の機構が依然として使用される場合、SULキャリア送信をサポートする端末デバイスおよびSULキャリア送信をサポートしない端末デバイスは、いずれも考慮されなくてもよい。その結果、端末デバイスが再選択を実行するのが早すぎたり遅すぎたりする場合が発生し、システム性能が低下する。例えば、SULキャリア送信をサポートしない端末デバイスが前述の方法でセル再選択を実行する場合、端末デバイスはSULセルに再選択してもよく、SULキャリア送信をサポートしない端末デバイスがSULセルの区域2内にある場合、端末デバイスは初期アクセスを正常に開始することができない。これは、端末デバイスが再選択を実行するのが早すぎるために、システム性能が低下することによって引き起こされる結果である。
【００６７】
本願の一実施形態は、通信方法を提供する。この方法は、端末デバイスが再選択を実行するのが早すぎたり遅すぎたりすることを防止するために、セル選択またはセル再選択に適用されてもよい。
【００６８】
図2は、本願の一実施形態による通信方法の概略図である。
【００６９】
S201：端末デバイスはブロードキャスト情報を受信し、ブロードキャスト情報は、第1のセルのための第1のパラメータおよび第2のパラメータを含み、第1のパラメータは、補助アップリンクSULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。
【００７０】
本願のこの実施形態によれば、SULキャリア送信をサポートする端末デバイスおよびSULキャリア送信をサポートしない端末デバイスは、端末デバイスがセル選択またはセル再選択を実行するのが早すぎたり遅すぎたりすることを防止するために、異なるパラメータに基づいてセル選択またはセル再選択を実行する。
【００７１】
セル選択またはセル再選択を実行する処理では、端末デバイスはブロードキャスト情報を受信する。ブロードキャスト情報は、第1のセルのための第1のパラメータおよび第2のパラメータを含み、第1のパラメータおよび第2のパラメータは、第1のセルへのキャンプオンを選択するかどうか、または第1のセルに再選択するかどうか、あるいは第1のセルから別のセルに再選択するかどうかを決定するために使用される。第1のセルは、端末デバイスのサービングセルであってもよく、または端末デバイスの隣接セルであってもよい。
【００７２】
端末デバイスがブロードキャスト情報を一度受信した後、ブロードキャスト情報は複数回利用されてもよい。例えば、ブロードキャスト情報は第1のセルのための第1のパラメータおよび第2のパラメータを含み、これにより、端末デバイスによって実行されるセル選択またはセル再選択の全処理において、または複数回実行されるセルの再選択および決定の処理において、第1のパラメータおよび第2のパラメータは複数回使用されてもよい。
【００７３】
任意には、第1のパラメータは、SULキャリア送信をサポートする端末デバイスの第1のセルが必要とする最小受信レベル値を決定するために使用され、第2のパラメータは、SULキャリア送信をサポートしない端末デバイスの第1のセルが必要とする最小受信レベル値を決定するために使用される。
【００７４】
任意には、第1のパラメータは、SULキャリア送信をサポートする端末デバイスの第1のセルが必要とする最小受信レベル値を示すために使用され、第2のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用される。この場合、任意には、SULキャリア送信をサポートしない端末デバイスの第1のセルが必要とする最小受信レベル値は、第1のパラメータと第2のパラメータとの合計に等しい。
【００７５】
任意には、第1のパラメータは、SULキャリア送信をサポートしない端末デバイスの第1のセルが必要とする最小受信レベル値と、SULキャリア送信をサポートする端末デバイスの第1のセルが必要とする最小受信レベル値との差分を示すために使用され、第2のパラメータは、SULキャリア送信をサポートしない端末デバイスの第1のセルが必要とする最小受信レベル値を示すために使用される。この場合、SULキャリア送信をサポートする端末デバイスの第1のセルが必要とする最小受信レベル値は、第2のパラメータと第1のパラメータとの差分に等しい。
【００７６】
S202：端末デバイスがSULキャリア送信をサポートする場合に、端末デバイスは、第1のパラメータに基づいてセル選択またはセル再選択を実行し、または、端末デバイスがSULキャリア送信をサポートしない場合に、端末デバイスは、第2のパラメータに基づいてセル選択またはセル再選択を実行する。
【００７７】
任意には、端末デバイスは、端末デバイスがSULキャリア送信をサポートし、かつ端末デバイスがレベル値に基づいてセル選択またはセル再選択を実行する場合に、第1のパラメータに基づいて第1のセルのセル選択受信レベル値を計算する。
【００７８】
任意には、端末デバイスは、端末デバイスがSULキャリア送信をサポートせず、かつ端末デバイスがレベル値に基づいてセル選択またはセル再選択を実行する場合に、第2のパラメータに基づいて第1のセルのセル選択受信レベル値を計算する。
【００７９】
任意には、第1のパラメータの値は第2のパラメータの値よりも小さい。
【００８０】
続いて、以下の3つのシナリオに基づいて詳細な説明が提供される。
【００８１】
シナリオ1
シナリオ1では、端末デバイスは、現在はセル選択を実行する必要があり、端末デバイスはSULセルを選択してもよく、または共通セルを選択してもよい。本願のこの実施形態では、端末デバイスが前述の基準Sに従ってセル選択を実行することは、説明のための一例として使用される。
【００８２】
ブロードキャスト情報は、セル選択のためのQrxlevmeasおよびQrxlevminoffsetなどのパラメータをさらに含む。QrxlevmeasおよびQrxlevminoffsetの意味は上述したものと同じであり、本明細書では再び説明しない。
【００８３】
図3に示すように、以下の3つのステップが含まれる。
【００８４】
S301：端末デバイスは、ネットワークデバイスによって送信されたセル＃Aのブロードキャスト情報を受信し、ブロードキャスト情報は、第1のパラメータおよび第2のパラメータを含む。
【００８５】
ブロードキャスト情報は、端末デバイスによって受信されたセル＃Aのシステム情報内のブロードキャスト情報である。
【００８６】
S302：端末デバイスがSULキャリア送信をサポートする場合、セル＃AのS値は第1のパラメータに基づいて計算され、または、端末デバイスがSULキャリア送信をサポートしない場合、セル＃AのS値は第2のパラメータに基づいて計算される。
【００８７】
S303：セル＃Aの計算されたS値に基づいて、セルの選択および決定が実行される。
【００８８】
本願のこの実施形態では、端末デバイスによって実行されるセル選択またはセル再選択に対するSULセルの影響が考慮される。セル選択の間に端末デバイスによって選択されるセルはSULセルであってもよく、または共通セルであってもよいが、本明細書ではSULセルのみが考慮され、すなわち、セル＃AはSULセルである。
【００８９】
任意には、第1のパラメータは、SULキャリア送信をサポートする端末デバイスのセル＃Aが必要とする最小受信レベル値を決定するために使用され、第2のパラメータは、SULキャリア送信をサポートしない端末デバイスのセル＃Aが必要とする最小受信レベル値を決定するために使用される。
【００９０】
限定ではなく一例として、第1のパラメータは、SULキャリア送信をサポートする端末デバイスのセル＃Aが必要とする最小受信レベル値であり、第2のパラメータは、SULキャリア送信をサポートしない端末デバイスのセル＃Aが必要とする最小受信レベル値である。
【００９１】
限定ではなく一例として、第1のパラメータは、SULキャリア送信をサポートしない端末デバイスのセル＃Aが必要とする最小受信レベル値と、SULキャリア送信をサポートする端末デバイスのセル＃Aが必要とする最小受信レベル値との差分を示すために使用され、第2のパラメータは、SULキャリア送信をサポートしない端末デバイスのセル＃Aが必要とする最小受信レベル値を示すために使用される。
【００９２】
限定ではなく一例として、第1のパラメータは、SULキャリア送信をサポートする端末デバイスのセル＃Aが必要とする最小受信レベル値を示すために使用され、第2のパラメータは、SULキャリア送信をサポートしない端末デバイスのセル＃Aが必要とする最小受信レベル値と、SULキャリア送信をサポートする端末デバイスのセル＃Aが必要とする最小受信レベル値との差分を示すために使用される。
【００９３】
SULキャリア送信をサポートする端末デバイスは、第1のパラメータに基づいて、セル＃Aのセル選択受信レベル値Srxlev、すなわちセル＃AのS値を計算し、次いで、端末デバイスはレベル値に基づいてセル選択を実行し、または、SULキャリア送信をサポートしない端末デバイスは、第2のパラメータに基づいて、セル＃Aのセル選択受信レベル値Srxlev、すなわちセル＃AのS値を計算し、次いで、端末デバイスはレベル値に基づいてセル選択を実行する。
【００９４】
さらに、異なる種類の端末デバイスがセル選択を実行するのが早すぎたり遅すぎたりすること、または適切なセルを選択できないことを防止するために、基準S式または選択規則が変更されてもよい。具体的には、少なくとも以下の方法が含まれる。
【００９５】
方法1
SULキャリア送信をサポートする端末デバイスは、以下の修正基準S式に基づいてS値を計算してもよい。修正基準S式は、
Srxlev_1＝Qrxlevmeas−（Qrxlevmin−Qrxlevminoffset−Offset_1）−Pcompensation
であり、式中、
Offset_1はオフセット値であり、オフセット値は、端末デバイスの能力またはネットワークデバイスの構成に基づいてネットワークデバイスによって設定されてもよく、システム情報を使用して端末デバイスに送信される。これは本願では限定されず、他のパラメータの意味は上述のものと同じである。
【００９６】
SULキャリア送信をサポートしない端末デバイスは、従来技術のものと同じS値の計算式を使用してもよく、または、修正基準S式を使用してS値を計算してもよいが、Offset_1は0である。
【００９７】
方法2
SULキャリア送信をサポートしない端末デバイスは、以下の修正基準S式に基づいてS値を計算してもよい。修正基準S式は、
Srxlev_2＝Qrxlevmeas−（Qrxlevmin−Qrxlevminoffset＋Offset_2）−Pcompensation
であり、式中、
Offset_2はオフセット値であり、オフセット値は、端末デバイスの能力またはネットワークデバイスの構成に基づいてネットワークデバイスによって設定されてもよく、システム情報を使用して端末デバイスに送信される。これは本願では限定されず、他のパラメータの意味は上述のものと同じである。
【００９８】
SULキャリア送信をサポートする端末デバイスは、従来技術のものと同じS値の計算式を使用してもよく、または、修正基準S式を使用してS値を計算してもよいが、Offset_2は0である。
【００９９】
方法3
SULキャリア送信をサポートしない端末デバイスは、以下の修正基準S式に基づいてS値を計算してもよい。修正基準S式は、
Srxlev_3−Offset_3＝Qrxlevmeas−（Qrxlevmin−Qrxlevminoffset）−Pcompensation
であり、式中、
Offset_3はオフセット値であり、オフセット値は、端末デバイスの能力またはネットワークデバイスの構成に基づいてネットワークデバイスによって設定されてもよく、システム情報を使用して端末デバイスに送信される。これは本願では限定されず、他のパラメータの意味は上述のものと同じである。
【０１００】
SULキャリア送信をサポートする端末デバイスは、従来技術のものと同じS値の計算式を使用してもよく、または、修正基準S式を使用してS値を計算してもよいが、Offset_3は0である。
【０１０１】
方法4
SULキャリア送信をサポートしない端末デバイスの場合、選択規則は、
（Srxlev_4−Offset_4）＞0のように変更されてもよく、式中、
OffSet_4はオフセット値であり、オフセット値は、端末デバイスの能力またはネットワークデバイスの構成に基づいてネットワークデバイスによって設定されてもよく、システム情報を使用して端末デバイスに送信される。これは、本願において限定されない。
【０１０２】
SULキャリア送信をサポートする端末デバイスは、従来技術のものと同じセル選択規則を使用してもよく、または、前述の修正セル選択規則を使用してもよいが、Offset_4は0である。
【０１０３】
前述の方法1〜4は単なる例である。本願はこれに限定されない。セル選択の間に端末デバイスの種類を考慮することができる他の全ての方法および処理は、本願の保護範囲内に含まれる。
【０１０４】
シナリオ1では、S値は、SULセルにおいて異なる種類の端末デバイスについて計算され、これにより、選択を実行するのが早すぎたり遅すぎたりする場合を回避するために、または適切ではないセルへの選択を回避するために、SULキャリア送信をサポートする端末デバイスおよびSULキャリア送信をサポートしない端末デバイスの両方をSULセルにおいて考慮することができない場合を効果的に回避することができる。このようにして、システム性能が改善される。
【０１０５】
続いて、シナリオ2およびシナリオ3が検討される。
【０１０６】
シナリオ2
シナリオ2では、端末デバイスは、現在はSULセルにキャンプオンしており、端末デバイスは、別のSULセルまたは共通セルに再選択しなくてはならない場合がある。
【０１０７】
端末デバイスがSULキャリア送信をサポートすることができる場合、端末デバイスは、区域1と区域2の両方において現在のセルにキャンプオンし続けてもよい。
【０１０８】
端末デバイスがSULキャリア送信をサポートすることができない場合、端末デバイスは、区域1において再選択を実行しなくてもよいが、区域2内にある場合に別のセルに再選択する必要がある。区域2内であるがゆえに、端末デバイスはSULキャリア送信しか実行することができない。
【０１０９】
シナリオ3
シナリオ3では、端末デバイスは、現在は共通セルにキャンプオンしており、SULセルに再選択しなくてはならない場合がある。
【０１１０】
SUL隣接セル、すなわち、端末デバイスの現在のサービングセルの隣接セルがSULセルである場合、端末デバイスによって実行されるセル再選択に対するSUL周波数帯の影響を考慮する必要がある。
【０１１１】
シナリオ2およびシナリオ3は、いずれもセル再選択のためのものであり、まとめて説明されてもよい。
【０１１２】
なお、シナリオ2を一例として使用して、端末デバイスはSULセルにキャンプオンし、サービングセルのS値をシナリオ1における方法に基づいて計算し、測定基準を開始する。具体的な測定基準は以下に示される。端末デバイスがキャンプされたセルのS値を計算する方法は、シナリオ1のものと同様である。例えば、サービングセルのS値は、シナリオ1の方法1〜4で端末デバイスによって計算される。簡潔な説明のために、詳細については本明細書では再び説明しない。
【０１１３】
なお、端末デバイスがセル再選択を実行する場合、サービングセルのS値を計算する方法はシナリオ1のものと同様であり、詳細については本明細書では再び説明しない。
【０１１４】
本願のこの実施形態では、端末デバイスが上述の現在のセル再選択方法を使用することは、説明のための一例として使用される。
【０１１５】
端末デバイスは、現在はセル＃Bとして示されるセルにキャンプオンしており、セル再選択が必要である。端末デバイスは、セル＃Bによって送信されるシステム情報に含まれるブロードキャスト情報を受信する。ブロードキャスト情報は、セル＃Bのブロードキャスト情報と隣接セルのブロードキャスト情報とを含む。セル選択の間に、セル＃Bのブロードキャスト情報は受信されており、端末デバイスがセル再選択を実行する場合、Rs値は、先行して受信されたセル＃Bのブロードキャスト情報に基づいて再計算されてもよい。Rsは、現在のサービングセル、つまりセル＃Bのranking値である。端末デバイスはまた、隣接セルのブロードキャスト情報を受信する。本願のこの実施形態では、セル選択または再選択に対するSULセルの影響が考慮される。したがって、隣接セルについては、隣接セルがSULセルである場合のみが本明細書では考慮される。
【０１１６】
サービングセルまたは隣接セルがSULセルであると端末デバイスが決定する方法は多くある。任意には、ブロードキャスト情報が第1のセルのための第1のパラメータおよび第2のパラメータを含むと決定した後、端末デバイスは、第1のセルによって使用される周波数帯がSUL周波数帯を含む、すなわち第1のセルがSULセルであると決定する。これは、専用の指示情報が必要とされず、シグナリングのオーバーヘッドが削減されるという利点を提供する。あるいは、端末デバイスは、隣接セルのブロードキャスト情報を受信する。ブロードキャスト情報は、隣接セルがSULセルであることを示す指示情報を含む。
【０１１７】
上述したように、セル＃Bは端末デバイスのサービングセルであり、端末デバイスは、サービングセルのブロードキャスト情報を受信する。ブロードキャスト情報は、第1のセルのための第1のパラメータおよび第2のパラメータを含む。本明細書では、第1のセルは隣接セルである。図4を参照して説明する。
【０１１８】
S401：セル＃Bのブロードキャスト情報を受信する。換言すれば、端末デバイスは、サービングセルのブロードキャスト情報を受信する。
【０１１９】
任意には、ブロードキャスト情報は、セル＃Bと同じ周波数を有する隣接セルのための第1のパラメータ＃1（すなわち、第1のパラメータの一例）および第2のパラメータ＃1（すなわち、第2のパラメータの一例）を含み、または、ブロードキャスト情報は、セル＃Bとは異なる周波数を有する隣接セルのための第1のパラメータ＃2（すなわち、第1のパラメータの一例）および第2のパラメータ＃2（すなわち、第2のパラメータの一例）を含む。第1のパラメータ＃1は、SULキャリア送信をサポートする端末デバイスの同じ周波数を有する隣接セルが必要とする最小受信レベル値を決定するために使用され、第2のパラメータ＃1は、SULキャリア送信をサポートしない端末デバイスの同じ周波数を有する隣接セルが必要とする最小受信レベル値を決定するために使用される。第1のパラメータ＃2は、SULキャリア送信をサポートする端末デバイスの異なる周波数を有する隣接セルが必要とする最小受信レベル値を決定するために使用され、第2のパラメータ＃2は、SULキャリア送信をサポートしない端末デバイスの異なる周波数を有する隣接セルが必要とする最小受信レベル値を決定するために使用される。
【０１２０】
任意には、ブロードキャスト情報は、セル＃Bと同じ周波数を有する隣接セルのための第1のパラメータ＃1（すなわち、第1のパラメータの一例）および第2のパラメータ＃1（すなわち、第2のパラメータの一例）を含み、セル＃Bとは異なる周波数を有する隣接セルのための第1のパラメータ＃2（すなわち、第1のパラメータの一例）および第2のパラメータ＃2（すなわち、第2のパラメータの一例）をさらに含む。第1のパラメータ＃1は、SULキャリア送信をサポートする端末デバイスの同じ周波数を有する隣接セルが必要とする最小受信レベル値を決定するために使用され、第2のパラメータ＃1は、SULキャリア送信をサポートしない端末デバイスの同じ周波数を有する隣接セルが必要とする最小受信レベル値を決定するために使用される。第1のパラメータ＃2は、SULキャリア送信をサポートする端末デバイスの異なる周波数を有する隣接セルが必要とする最小受信レベル値を決定するために使用され、第2のパラメータ＃2は、SULキャリア送信をサポートしない端末デバイスの異なる周波数を有する隣接セルが必要とする最小受信レベル値を決定するために使用される。
【０１２１】
限定ではなく一例として、第1のパラメータ＃1は、SULキャリア送信をサポートする端末デバイスの同じ周波数を有する隣接セルが必要とする最小受信レベル値であり、第2のパラメータ＃1は、SULキャリア送信をサポートしない端末デバイスの同じ周波数を有する隣接セルが必要とする最小受信レベル値である。第1のパラメータ＃2は、SULキャリア送信をサポートする端末デバイスの異なる周波数を有する隣接セルが必要とする最小受信レベル値を決定するために使用され、第2のパラメータ＃2は、SULキャリア送信をサポートしない端末デバイスの異なる周波数を有する隣接セルが必要とする最小受信レベル値を決定するために使用される。
【０１２２】
限定ではなく一例として、第1のパラメータ＃1は、SULキャリア送信をサポートする端末デバイスの同じ周波数を有する隣接セルが必要とする最小受信レベル値であり、第2のパラメータ＃1は、SULキャリア送信をサポートしない端末デバイスの同じ周波数を有する隣接セルが必要とする最小受信レベル値と、SULキャリア送信をサポートする端末デバイスの同じ周波数を有する隣接セルが必要とする最小受信レベル値との差分である。第1のパラメータ＃2は、SULキャリア送信をサポートする端末デバイスの異なる周波数を有する隣接セルが必要とする最小受信レベル値であり、第2のパラメータ＃2は、SULキャリア送信をサポートする端末デバイスの異なる周波数を有する隣接セルが必要とする最小受信レベル値と、SULキャリア送信をサポートしない端末デバイスの異なる周波数を有する隣接セルが必要とする最小受信レベル値との差分である。
【０１２３】
限定ではなく一例として、第1のパラメータ＃1は、SULキャリア送信をサポートしない端末デバイスの同じ周波数を有する隣接セルが必要とする最小受信レベル値と、SULキャリア送信をサポートする端末デバイスの同じ周波数を有する隣接セルが必要とする最小受信レベル値との差分であり、第2のパラメータ＃1は、SULキャリア送信をサポートしない端末デバイスの同じ周波数を有する隣接セルが必要とする最小受信レベル値である。第1のパラメータ＃2は、SULキャリア送信をサポートしない端末デバイスの異なる周波数を有する隣接セルが必要とする最小受信レベル値と、SULキャリア送信をサポートする端末デバイスの異なる周波数を有する隣接セルが必要とする最小受信レベル値との差分であり、第2のパラメータ＃2は、SULキャリア送信をサポートしない端末デバイスの異なる周波数を有する隣接セルが必要とする最小受信レベル値である。
【０１２４】
任意には、ある周波数の隣接セルが全てSULセルまたは共通セルであるとは限らず、すなわち、いくつかはSULセルであり、いくつかは共通セルである。ブロードキャスト情報は、各周波数でのSULセルリストに関する情報、または各周波数での共通セルリストに関する情報、あるいは、セルリスト内のセルがSULセルであるかどうかを示す指示情報をさらに含んでもよく、これにより、SULキャリア送信をサポートする端末デバイスは、第1のパラメータ＃1または第1のパラメータ＃2をブロードキャスト情報に基づいて選択することができる。
【０１２５】
任意には、同じ周波数の複数の異なるSULセルは異なるカバレッジ要件を有しており、これにより、基地局のダウンリンクの送信電力は変化する可能性がある。この場合、異なる第1のパラメータおよび／または第2のパラメータが異なるセルに設定されてもよく、換言すれば、第1のパラメータおよび／または第2のパラメータは、セルレベルにある。換言すれば、セルリストは各周波数に存在し、セルリスト内の各セルは第1のパラメータおよび／または第2のパラメータに対応する。第1のパラメータは、SULキャリア送信をサポートする端末デバイスによって実行されるセル再選択に使用され、第2のパラメータは、SULキャリア送信をサポートしない端末デバイスによって実行されるセル再選択に使用される。第1のパラメータ＃1および第2のパラメータ＃1は、シナリオ1における第1のパラメータおよび第2のパラメータと同様であり、詳細については本明細書では再び説明しない。
【０１２６】
任意には、隣接セルに関する情報を取得するために、基地局は、例えば基地局間のインタフェースを確立するときに、第1のパラメータおよび／または第2のパラメータの構成を交換する。
【０１２７】
S402：端末デバイスがSULキャリア送信をサポートする場合、隣接セルの周波数に対応する第1のパラメータ＃1または第1のパラメータ＃2に基づいて、隣接セルのS値を計算し、端末デバイスがSULキャリア送信をサポートしない場合、隣接セルの周波数に対応する第2のパラメータ＃1または第2のパラメータ＃2に基づいて、隣接セルのS値を計算する。
【０１２８】
隣接セルの周波数に対応するということは、隣接セルの周波数がセル＃Bのものと同じである場合に、第1のパラメータ＃1または第2のパラメータ＃1が使用され、隣接セルの周波数がセル＃Bのものとは異なる場合に、第1のパラメータ＃2または第2のパラメータ＃2が使用されることを意味する。
【０１２９】
具体的には、第1のパラメータ＃2の機能は第1のパラメータ＃1のものと同様であり、すなわち、第1のパラメータ＃1または第1のパラメータ＃2は、SULキャリア送信をサポートする端末デバイスによって実行されるセル選択またはセル再選択に使用される。第2のパラメータ＃2の機能は第2のパラメータ＃1のものと同様であり、すなわち、第2のパラメータ＃1または第2のパラメータ＃2は、SULキャリア送信をサポートしない端末デバイスによって実行されるセル選択またはセル再選択に使用される。第1のパラメータ＃1および第2のパラメータ＃1はセル＃Bと同じ周波数を有するセルのためのものであり、第1のパラメータ＃2および第2のパラメータ＃2は、セル＃Bと異なる周波数を有するセルのためのものである。S値の計算はシナリオ1のものと同様であり、詳細については本明細書では再び説明しない。
【０１３０】
S403：計算された隣接セルのS値に基づいて、セルの再選択および決定を実行する。
【０１３１】
任意には、シナリオ1におけるS値の計算方法は、シナリオ2およびシナリオ3にも適用可能である。
【０１３２】
任意には、端末デバイスは、SULキャリア送信をサポートしない端末デバイスである。セル＃BがSULセルである場合、セル再選択の測定基準は以下の通りであり、
サービングセルにおいて、Srxlev≦Sintrasearch＋Offsetである場合、端末デバイスは周波数内セル測定を開始し、
サービングセルにおいて、Srxlev≦Snonintrasearch＋Offsetである場合、またはSnonintrasearchが構成されていない場合、端末デバイスは、優先度が同じ周波数およびシステム、または優先度が低い周波数およびシステムの測定を開始し、式中、
Offsetは、予め設定されたオフセット値であり、予め設定されたオフセット値は、端末デバイスの能力またはネットワークデバイスの構成に基づいて、ネットワークデバイスによって設定されてもよい。これは、本願において限定されない。他のパラメータの意味は上述したものと同じであり、詳細については本明細書では再び説明しない。
【０１３３】
セル再選択の間、SUL隣接セルの再選択基準は以下の通りであり、
優先度が高い周波数またはシステムの再選択基準は、ターゲット周波数セルにおいて、Srxlev＞Threshx-high＋Offsetであり、これはセル再選択時間の間持続し、
（サービングセルがSULセルでもある例を使用した）優先度が低い周波数またはシステムの再選択基準は、サービングセルにおいて、Srxlev＜Threshserving-low＋Offset-sであり、ターゲット周波数セルにおいて、Srxlev＞Threshx-low＋Offset-nであり、これはセル再選択時間の間持続する。
【０１３４】
Offset、Offset-sおよびOffset-nは全てオフセット値であり、Offset-sおよびOffset-nは、それぞれサービングセルのオフセット値およびターゲット周波数セルのオフセット値である。オフセット値は、端末デバイスの能力またはネットワークデバイスの構成に基づいて、ネットワークデバイスによって設定されてもよい。これは、本願において限定されない。他のパラメータの意味は上述したものと同じであり、詳細については本明細書では再び説明しない。
【０１３５】
SULキャリア送信をサポートする端末デバイスは、既存の方法でセル再選択を実行してもよく、または前述のオフセットは0に設定される。
【０１３６】
前述の方法では、端末デバイスが再選択を実行するのが早すぎたり遅すぎたりすることを防止し、それによってシステム性能を改善するために、測定基準およびセル再選択の再選択規則の両方において異なる種類の端末デバイスが考慮される。
【０１３７】
任意には、上述のように優先度が同じ周波数の再選択基準の場合、SUL周波数帯の影響がRankingのソートにおいて考慮されるべきである。SULサービングセルまたはSUL隣接セルの測定されたダウンリンク信号は非常に良好であるが、アップリンクのために、SULキャリア送信をサポートしない端末デバイスが、再選択が必要なエッジに依然として居る場合がある。したがって、SULセルについて計算されたRanking値が修正され、次いで、他のセルのものとともにソートされ、これにより、SULセルのRankingが後方調整されるようにする必要がある。
【０１３８】
任意には、Rs＝Qmeas_s−Offset_sul＋Qhysts、Rn＝Qmeas_s−Offset_sul−Qoffsetであり、式中、
Offset_sulは、基準S値と同じOffset値を使用してもよく、または第2のパラメータと第1のパラメータとの差分であってもよく、ネットワークによって構成された専用オフセットであってもよい。
【０１３９】
SULキャリア送信をサポートする端末デバイスの場合、SULセルのアップリンクのカバレッジおよびダウンリンクのカバレッジは一致すると見なされてもよい。元の式を直接使用することができ、または前述の式も使用するが、Offset_sulの値は0である。
【０１４０】
任意には、優先度が同じ周波数の再選択基準の場合、SULセルについて計算されたRanking値は別の方法で修正されてもよく、すなわち、SULキャリア送信をサポートする端末デバイスの場合、SULセルについて計算されたRanking値が修正され、次いで、他のセルのものとともにソートされ、これにより、Ranking値のソートが前方調整されるようにする必要がある。任意には、Rs＝Qmeas_s＋Offset_sul＋Qhysts、Rn＝Qmeas_s＋Offset_sul−Qoffsetであり、式中、
Offset_sulは、基準S値と同じOffset値を使用してもよく、または第2のパラメータと第1のパラメータとの差分であってもよく、ネットワークによって構成された専用オフセットであってもよい。
【０１４１】
SULキャリア送信をサポートしない端末デバイスの場合、元の式を直接使用することができ、または前述の式も使用するが、Offset_sulの値は0である。
【０１４２】
任意には、Rankingのソートは2つのグループに対して実行され、2つのグループはSULセルのソートおよび共通セルのソートにそれぞれ使用される。ネットワーク構成に基づいて、SULセルが優先的に選択されるか、共通セルが優先的に選択されるか、またはグループ内のセルが優先的に選択される。同じグループ内に複数のセルがある場合、最も大きいranking値を有するセルが選択される。
【０１４３】
シナリオ2の場合、端末デバイスがSULセルにキャンプオンし、かつセル選択を実行する場合、端末デバイスがキャンプされたセルのS値を計算する方法はシナリオ1のものと同様であり、詳細については本明細書では再び説明しない。
【０１４４】
なお、本願のこの実施形態における「SULキャリア送信をサポートしない端末デバイス」とは、端末デバイスがSUL機能をサポートしない場合、または端末デバイスがSUL機能をサポートするがSULセルのSUL周波数帯をサポートしない場合を含む。
【０１４５】
本願のこの実施形態における通信方法によれば、端末デバイスによって受信されるブロードキャスト情報は、第1のパラメータおよび第2のパラメータを含む。第1のパラメータは、SULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。このようにして、端末デバイスが選択または再選択を実行するのが早すぎたり遅すぎたりすることを防止し、システム性能をさらに改善するために、2つの種類の端末デバイスを共に考慮してもよい。
【０１４６】
本願の実施形態によるセル選択またはセル再選択の方法は、図2〜図4を参照して上記で詳細に説明されている。図5を参照して、SULセルにおいてランダムアクセスを開始するために端末デバイスによって選択されたアップリンク周波数帯を、以下に詳細に説明する。
【０１４７】
S501：第1のセルの受信信号強度値を測定する。
【０１４８】
S502：ランダムアクセスが開始されるセルを使用してアップリンク周波数帯を決定する。
【０１４９】
第1のセルが端末デバイスのサービングセルであり、かつ第1のセルもまたSULセルである場合、および、端末デバイスがSULキャリア送信をサポートする場合、この決定方法は、受信信号強度値が予め設定された閾値未満である場合に、初期アクセス開始時の端末デバイスによって、第1のセルのSUL周波数帯を使用してランダムアクセス手順を開始するステップ、または、受信信号強度値が予め設定された閾値以上である場合に、初期アクセス開始時の端末デバイスによって、第1のセルの一次アップリンク周波数帯を使用してランダムアクセス手順を開始するステップを含む。
【０１５０】
任意には、予め設定された第1の閾値は第2のパラメータであってもよく、第2のパラメータは、セル選択またはセル再選択の間に使用される第2のパラメータと同じである。このようにして、シグナリングのオーバーヘッドが削減されてもよい。
【０１５１】
任意には、予め設定された閾値は、代替的に、第1のパラメータまたは第2のパラメータとは無関係の独立した閾値であってもよい。このようにして、柔軟性が改善されてもよい。予め設定された閾値の特定の値は、ネットワークデバイスの構成または端末デバイスの能力に基づいて決定されてもよい。これは、本願において限定されない。
【０１５２】
任意には、端末デバイスは、端末デバイスによって一次アップリンク周波数帯を使用して開始されたランダムアクセス手順の失敗の数が、予め設定された第1の閾値を超える場合に、SUL周波数帯を使用してランダムアクセス手順を開始する。
【０１５３】
閾値の不適切な構成、ランダムアクセス中の厳しい競合などのために、一次アップリンク周波数帯を使用して端末デバイスによって開始されたランダムアクセスは、複数回失敗する場合があり、失敗の数が予め設定された第1の閾値を超えた場合、端末デバイスは、SUL周波数帯を使用してランダムアクセス手順を開始する。このようにして、ランダムアクセスの成功率を向上させてもよい。予め設定された第1の閾値は、ネットワークを使用して設定されてもよく、または経験に基づいて設定されてもよい。これは、本願において限定されない。
【０１５４】
さらに、端末デバイスによって開始されたランダムアクセス手順の失敗の総数が、予め設定された第2の閾値に達した場合、無線リンク障害が発生したと見なされてもよい。失敗の総数は、端末デバイスによってSUL周波数帯を使用して開始されるランダムアクセス手順の失敗の数と、端末デバイスによって一次アップリンク周波数帯を使用して開始されるランダムアクセス手順の失敗の数との合計であってもよい。
【０１５５】
一実施態様では、第1のセルが端末デバイスのサービングセルであり、かつ第1のセルがSULセルである場合、および、端末デバイスがSULキャリア送信をサポートしない場合、決定方法は、SULキャリア送信をサポートしない端末デバイスが初期アクセスを開始する必要がある場合に、第一に現在のキャンプされたセル（第1のセル）の信号強度が閾値未満であると判断されると、端末デバイスによって、第1のセルにおけるランダムアクセスを開始するステップを省略するが、セル選択処理を開始し、次いで、サービングセルの変更後に初期アクセスを開始するステップを含む。このようにして、端末デバイスのランダムアクセスを複数回試みた後の複数の失敗が防止される。
【０１５６】
任意には、SULキャリア送信をサポートしない端末デバイスおよびSULキャリア送信をサポートする端末デバイスは、同じセル選択パラメータ／機構またはセル再選択パラメータ／機構を使用する。しかし、SULキャリア送信をサポートしない端末デバイスが初期アクセスを開始する必要がある場合、第一に、現在のキャンプされたセルの信号強度が閾値（RAN1作業グループによって定義された閾値または新しい閾値など）未満であるかどうかが判断され、端末デバイスはセル再選択処理を開始し、次いで、サービングセルの変更後に初期アクセスを開始する。このようにして、端末デバイスのランダムアクセスを複数回試みた後の複数の失敗が防止される。さらに、この方法は比較的容易である。
【０１５７】
本願の実施形態による通信方法は、図2〜図5を参照して端末デバイスの観点から上記で詳細に説明されている。本願の一実施形態による通信方法は、図6を参照してネットワークデバイスの観点から以下に詳細に説明される。
【０１５８】
図6は、本願の別の実施形態による通信方法の概略図である。
【０１５９】
601．ネットワークデバイスはブロードキャスト情報を送信し、ブロードキャスト情報は、第1のセルのための第1のパラメータおよび第2のパラメータを含み、第1のパラメータは、補助アップリンクSULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。
【０１６０】
本願のこの実施形態によれば、ネットワークデバイスは、第1のセルのための第1のパラメータおよび第2のパラメータを含むブロードキャスト情報を送信し、これにより、SULキャリア送信をサポートする端末デバイスおよびSULキャリア送信をサポートしない端末デバイスは、端末デバイスがセル選択またはセル再選択を実行するのが早すぎたり遅すぎたりすることを防止するために、異なるパラメータに基づいてセル選択またはセル再選択を実行可能とされてもよい。
【０１６１】
端末デバイスによってセル選択またはセル再選択を実行する処理では、ネットワークデバイスはブロードキャスト情報を送信する。ブロードキャスト情報は、第1のセルのための第1のパラメータおよび第2のパラメータを含み、第1のパラメータおよび第2のパラメータは、第1のセルへのキャンプオンを選択するかどうか、または第1のセルに再選択するかどうかを決定するために、端末デバイスによって使用される。第1のセルは、端末デバイスのサービングセルであってもよく、または端末デバイスの隣接セルであってもよい。
【０１６２】
ネットワークデバイスがブロードキャスト情報を一度送信した後、ブロードキャスト情報は、端末デバイスによって複数回使用されてもよい。例えば、ブロードキャスト情報は第1のセルのための第1のパラメータおよび第2のパラメータを含み、これにより、端末デバイスによって実行されるセル選択またはセル再選択の全処理において、または複数回実行されるセル再選択の処理において、第1のパラメータおよび第2のパラメータは、端末デバイスによって複数回使用されてもよい。
【０１６３】
任意には、第1のパラメータは、SULキャリア送信をサポートする端末デバイスの第1のセルが必要とする最小受信レベル値を決定するために使用され、第2のパラメータは、SULキャリア送信をサポートしない端末デバイスの第1のセルが必要とする最小受信レベル値を決定するために使用される。
【０１６４】
任意には、第1のパラメータは、SULキャリア送信をサポートする端末デバイスの第1のセルが必要とする最小受信レベル値であり、第2のパラメータは、SULキャリア送信をサポートする端末デバイスの第1のセルが必要とする最小受信レベル値と、SULキャリア送信をサポートしない端末デバイスの第1のセルが必要とする最小受信レベル値との差分である。
【０１６５】
任意には、第1のパラメータは、SULキャリア送信をサポートしない端末デバイスの第1のセルが必要とする最小受信レベルと、SULキャリア送信をサポートする端末デバイスの第1のセルが必要とする最小受信レベル値との差分であり、第2のパラメータは、SULキャリア送信をサポートしない端末デバイスの第1のセルが必要とする最小受信レベルである。
【０１６６】
任意には、第1のパラメータの値は第2のパラメータの値よりも小さい。
【０１６７】
続いて、以下の3つのシナリオに基づいて詳細な説明が提供される。
【０１６８】
シナリオ1
シナリオ1では、端末デバイスは、現在はセル選択を実行する必要があり、SULセルを選択してもよく、または共通セルを選択してもよい。本願のこの実施形態では、端末デバイスが前述の基準Sに従ってセル選択を実行することは、説明のための一例として使用される。
【０１６９】
ネットワークデバイスによって送信されるブロードキャスト情報は、セル選択のためのQrxlevmeas、QrxlevminおよびQrxlevminoffsetなどのパラメータをさらに含む。Qrxlevmeas、QrxlevminおよびQrxlevminoffsetの意味は上述したものと同じであり、本明細書では再び説明しない。
【０１７０】
ネットワークデバイスはセル＃Aのブロードキャスト情報を送信し、ブロードキャスト情報は第1のパラメータおよび第2のパラメータを含む。
【０１７１】
本願のこの実施形態は、端末デバイスによって実行されるセル選択またはセル再選択に対するSULセルの影響を考慮する。端末デバイスによってセル選択の間に選択されるセルはSULセルであってもよく、または共通セルであってもよいが、SULセルのみが考慮され、すなわち、セル＃AはSULセルである。
【０１７２】
任意には、第1のパラメータは、SULキャリア送信をサポートする端末デバイスのセル＃Aが必要とする最小受信レベル値を決定するために使用され、第2のパラメータは、SULキャリア送信をサポートしない端末デバイスのセル＃Aが必要とする最小受信レベル値を決定するために使用される。
【０１７３】
限定ではなく一例として、第1のパラメータは、SULキャリア送信をサポートする端末デバイスのセル＃Aが必要とする最小受信レベル値であり、第2のパラメータは、SULキャリア送信をサポートしない端末デバイスのセル＃Aが必要とする最小受信レベル値である。
【０１７４】
限定ではなく一例として、第1のパラメータは、SULキャリア送信をサポートする端末デバイスのセル＃Aが必要とする最小受信レベル値であり、第2のパラメータは、SULキャリア送信をサポートする端末デバイスのセル＃Aが必要とする最小受信レベル値と、SULキャリア送信をサポートしない端末デバイスのセル＃Aが必要とする最小受信レベル値との差分である。
【０１７５】
限定ではなく一例として、第1のパラメータは、SULキャリア送信をサポートしない端末デバイスのセル＃Aが必要とする最小受信レベル値と、SULキャリア送信をサポートする端末デバイスのセル＃Aが必要とする最小受信レベル値との差分であり、第2のパラメータは、SULキャリア送信をサポートしない端末デバイスのセル＃Aが必要とする最小受信レベル値である。
【０１７６】
シナリオ1では、SULセルにおいて、ネットワークデバイスによって送信されるブロードキャスト情報は、第1のパラメータおよび第2のパラメータを含む。第1のパラメータは、SULキャリア送信をサポートする端末デバイスによって実行されるセル選択またはセル再選択に使用され、第2のパラメータは、SULキャリア送信をサポートしない端末デバイスによって実行されるセル選択またはセル再選択に使用され、これにより、端末デバイスが選択を実行するのが早すぎたり遅すぎたりすることを防止し、それによってシステム性能を改善するために、SULキャリア送信をサポートする端末デバイスおよびSULキャリア送信をサポートしない端末デバイスのSULセルにおいて考慮することができる。
【０１７７】
続いて、シナリオ2およびシナリオ3が検討される。
【０１７８】
シナリオ2
シナリオ2では、端末デバイスは、現在はSULセルにキャンプオンしており、端末デバイスは、別のSULセルまたは別の共通セルに再選択しなくてはならない場合がある。
【０１７９】
端末デバイスがSULキャリア送信をサポートすることができる場合、端末デバイスは、区域1と区域2の両方において現在のセルにキャンプオンし続けてもよい。
【０１８０】
端末デバイスがSULキャリア送信をサポートすることができない場合、端末デバイスは、区域1において再選択を実行しなくてもよいが、区域2内にある場合に別のセルに再選択する必要がある。区域2内であるがゆえに、端末デバイスはSULキャリア送信しか実行することができない。
【０１８１】
シナリオ3
シナリオ3では、端末デバイスは、現在は共通セルにキャンプオンしており、端末デバイスは、SULセルに再選択しなくてはならない場合がある。
【０１８２】
SUL隣接セル、すなわち、端末デバイスの現在のサービングセルの隣接セルがSULセルである場合、端末デバイスによって実行されるセル再選択に対するSUL周波数帯の影響を考慮する必要がある。
【０１８３】
シナリオ2およびシナリオ3は、いずれもセル再選択のためのものであり、まとめて説明されてもよい。
【０１８４】
なお、シナリオ2を例として使用して、端末デバイスはSULセルにキャンプオンする。端末デバイスがセルにキャンプオンした後、端末デバイスは計算されたS値に基づいて測定基準を開始する。具体的な測定基準は以下に示される。キャンプされたセルおよび端末デバイスの隣接セルのS値を計算する方法は、シナリオ1におけるセル選択の間にS値を計算する方法と同じである。ステップS301〜S303、方法1〜方法4等が含まれる。詳細については、本明細書では再び説明しない。
【０１８５】
本願のこの実施形態では、端末デバイスが上述の現在のセル再選択方法を使用することは、説明のための一例として使用される。
【０１８６】
端末デバイスは、現在はセル＃Bとして示されるセルにキャンプオンしており、セル再選択が必要である。端末デバイスがセル選択を実行する場合、ネットワークデバイスは、セル＃Bのブロードキャスト情報を送信している。したがって、端末デバイスがセル再選択を実行する場合、Rs値を再度計算するためにブロードキャスト情報が使用されてもよい。Rsは、現在のサービングセル、つまりセル＃Bのranking値である。ネットワークデバイスによって送信されたブロードキャスト情報は、隣接セルのブロードキャスト情報をさらに含む。本願のこの実施形態では、セル選択または再選択に対するSULセルの影響が考慮される。したがって、隣接セルがSULセルである場合のみが本明細書では考慮される。
【０１８７】
任意には、ネットワークデバイスによって送信されたブロードキャスト情報が第1のセルのための第1のパラメータおよび第2のパラメータを含むと決定された後、第1のセルによって使用される周波数帯がSUL周波数帯を含む、すなわち隣接セルがSULセルであると決定される。あるいは、ネットワークデバイスは隣接セルのブロードキャスト情報を送信し、ブロードキャスト情報は、隣接セルがSULセルであることを示す指示情報を含む。
【０１８８】
任意には、ブロードキャスト情報は、セル＃Bと同じ周波数を有する隣接セルのための第1のパラメータ＃1および第2のパラメータ＃1を含み、セル＃Bとは異なる周波数を有する隣接セルのための第1のパラメータ＃2および第2のパラメータ＃2をさらに含む。第1のパラメータ＃1は、SULキャリア送信をサポートする端末デバイスの同じ周波数を有する隣接セルが必要とする最小受信レベル値を決定するために使用され、第2のパラメータ＃1は、SULキャリア送信をサポートしない端末デバイスの同じ周波数を有する隣接セルが必要とする最小受信レベル値を決定するために使用される。第1のパラメータ＃2は、SULキャリア送信をサポートする端末デバイスの異なる周波数を有する隣接セルが必要とする最小受信レベル値を決定するために使用され、第2のパラメータ＃2は、SULキャリア送信をサポートしない端末デバイスの異なる周波数を有する隣接セルが必要とする最小受信レベル値を決定するために使用される。
【０１８９】
限定ではなく一例として、第1のパラメータ＃1は、SULキャリア送信をサポートする端末デバイスの同じ周波数を有する隣接セルが必要とする最小受信レベル値であり、第2のパラメータ＃1は、SULキャリア送信をサポートしない端末デバイスの同じ周波数を有する隣接セルが必要とする最小受信レベル値である。第1のパラメータ＃2は、SULキャリア送信をサポートする端末デバイスの異なる周波数を有する隣接セルが必要とする最小受信レベル値を決定するために使用され、第2のパラメータ＃2は、SULキャリア送信をサポートしない端末デバイスの異なる周波数を有する隣接セルが必要とする最小受信レベル値を決定するために使用される。
【０１９０】
限定ではなく一例として、第1のパラメータ＃1は、SULキャリア送信をサポートする端末デバイスの同じ周波数を有する隣接セルが必要とする最小受信レベル値であり、第2のパラメータ＃1は、SULキャリア送信をサポートする端末デバイスの同じ周波数を有する隣接セルが必要とする最小受信レベル値と、SULキャリア送信をサポートしない端末デバイスの同じ周波数を有する隣接セルが必要とする最小受信レベル値との差分である。第1のパラメータ＃2は、SULキャリア送信をサポートする端末デバイスの異なる周波数を有する隣接セルが必要とする最小受信レベル値であり、第2のパラメータ＃2は、SULキャリア送信をサポートする端末デバイスの異なる周波数を有する隣接セルが必要とする最小受信レベル値と、SULキャリア送信をサポートしない端末デバイスの異なる周波数を有する隣接セルが必要とする最小受信レベル値との差分である。
【０１９１】
限定ではなく一例として、第1のパラメータ＃1は、SULキャリア送信をサポートしない端末デバイスの同じ周波数を有する隣接セルが必要とする最小受信レベル値と、SULキャリア送信をサポートする端末デバイスの同じ周波数を有する隣接セルが必要とする最小受信レベル値との差分であり、第2のパラメータ＃1は、SULキャリア送信をサポートしない端末デバイスの同じ周波数を有する隣接セルが必要とする最小受信レベル値である。第1のパラメータ＃2は、SULキャリア送信をサポートしない端末デバイスの異なる周波数を有する隣接セルが必要とする最小受信レベル値と、SULキャリア送信をサポートする端末デバイスの異なる周波数を有する隣接セルが必要とする最小受信レベル値との差分であり、第2のパラメータ＃2は、SULキャリア送信をサポートしない端末デバイスの異なる周波数を有する隣接セルが必要とする最小受信レベル値である。
【０１９２】
任意には、ある周波数の隣接セルが全てSULセルまたは共通セルであるとは限らず、すなわち、いくつかはSULセルであり、いくつかは共通セルである。ブロードキャスト情報は、各周波数でのSULセルリストに関する情報、または各周波数での共通セルリストに関する情報、あるいは、セルリスト内のセルがSULセルであるかどうかを示す指示情報をさらに含んでもよく、これにより、SULキャリア送信をサポートする端末デバイスは、第1のパラメータ＃1または第1のパラメータ＃2をブロードキャスト情報に基づいて選択してもよい。
【０１９３】
任意には、同じ周波数の複数の異なるSULセルの場合、基地局のダウンリンクの送信電力は、セルの異なるカバレッジ要件に基づいて変化する可能性がある。この場合、異なる第1のパラメータおよび／または第2のパラメータが異なるセルに設定されてもよく、換言すれば、第1のパラメータおよび／または第2のパラメータは、セルレベルにある。換言すれば、セルリストは各周波数に存在し、セルリスト内の各セルは第1のパラメータおよび／または第2のパラメータに対応する。第1のパラメータは、SULキャリア送信をサポートする端末デバイスによって実行されるセル再選択に使用され、第2のパラメータは、SULキャリア送信をサポートしない端末デバイスによって実行されるセル再選択に使用される。第1のパラメータ＃1および第2のパラメータ＃1は、シナリオ1における第1のパラメータおよび第2のパラメータと同様であり、詳細については本明細書では再び説明しない。
【０１９４】
任意には、隣接セルに関する情報を取得するために、基地局は、例えば基地局間のインタフェースを確立するときに、第1のパラメータおよび／または第2のパラメータの構成を交換する。
【０１９５】
なお、第1のパラメータ＃2の機能は第1のパラメータ＃1のものと同様であり、すなわち、第1のパラメータ＃1または第1のパラメータ＃2は、SULキャリア送信をサポートする端末デバイスによって実行されるセル選択またはセル再選択に使用される。第2のパラメータ＃2の機能は第2のパラメータ＃1のものと同様であり、すなわち、第2のパラメータ＃1または第2のパラメータ＃2は、SULキャリア送信をサポートしない端末デバイスによって実行されるセル選択またはセル再選択に使用される。第1のパラメータ＃1および第2のパラメータ＃1はセル＃Bと同じ周波数を有するセルのためのものであり、第1のパラメータ＃2および第2のパラメータ＃2は、セル＃Bと異なる周波数を有するセルのためのものである。
【０１９６】
本願のこの実施形態における通信方法によれば、ネットワークデバイスによって送信されるブロードキャスト情報は、第1のパラメータおよび第2のパラメータを含む。第1のパラメータは、SULキャリア送信をサポートする端末デバイスによって実行されるセル選択またはセル再選択に使用され、第2のパラメータは、SULキャリア送信をサポートしない端末デバイスによって実行されるセル選択またはセル再選択に使用される。このようにして、端末デバイスがセル選択またはセル再選択を実行するのが早すぎたり遅すぎたりすることを防止し、システム性能をさらに改善するために、2つの種類の端末デバイスを共に考慮してもよい。
【０１９７】
本願の実施形態による通信方法は、図2〜図6を参照して上記で詳細に説明されている。本願の実施形態による通信装置は、図7〜図9を参照して以下に詳細に説明される。
【０１９８】
図7は、本願の一実施形態による端末デバイスの概略構成図である。端末デバイスは、前述の方法実施形態における端末デバイスの機能を実行するために、図1に示すセルに適用可能であってもよい。説明を簡単にするために、図7は、端末デバイスの主要構成要素のみを示している。図7に示すように、端末デバイス70は、プロセッサと、メモリと、制御回路と、アンテナと、入力／出力装置とを含む。プロセッサは、通信プロトコルおよび通信データを処理し、端末デバイス全体を制御し、ソフトウェアプログラムを実行し、ソフトウェアプログラムのデータを処理するように主に構成されており、例えば、前述の方法実施形態において説明された動作を実行する際に、例えば第1のパラメータに基づいてセル選択またはセル再選択を実行する際に端末デバイスをサポートするように構成される。メモリは、例えば、前述の実施形態において説明された指示情報と組合せ情報との間の対応を記憶するなど、ソフトウェアプログラムおよびデータを記憶するように主に構成される。制御回路は、ベースバンド信号と無線周波数信号との間の変換を実行し、無線周波数信号を処理するように主に構成されている。制御回路およびアンテナの組合せはまた、電磁波の形態で無線周波数信号を送受信するように主に構成された送受信機と呼ばれてもよい。タッチスクリーン、ディスプレイまたはキーボードなどの入力／出力装置は、ユーザによって入力されたデータを受信し、データをユーザに出力するように主に構成されている。
【０１９９】
端末デバイスの電源が投入された後、プロセッサは、記憶ユニット内のソフトウェアプログラムを読み取り、ソフトウェアプログラムの命令を解釈して実行し、ソフトウェアプログラムのデータを処理してもよい。データを無線方式で送信する必要がある場合、プロセッサは送信されるデータに対してベースバンド処理を実行し、ベースバンド信号を無線周波数回路に出力する。無線周波数回路がベースバンド信号に対して無線周波数処理を実行した後、無線周波数信号は、アンテナを使用して電磁波の形態で送信される。データが端末デバイスに送信された場合、無線周波数回路は、アンテナを使用して無線周波数信号を受信し、無線周波数信号をベースバンド信号に変換し、ベースバンド信号をプロセッサに出力し、プロセッサはベースバンド信号をデータに変換し、データを処理する。
【０２００】
当業者は、説明を簡単にするために、図7が1つのメモリのみおよび1つのプロセッサのみを示していることを理解することができる。実際には、端末デバイスは、複数のプロセッサと複数のメモリとを含んでもよい。メモリはまた、記憶媒体、記憶デバイスなどと呼ばれてもよい。これは、本願のこの実施形態において限定されない。
【０２０１】
任意の実施態様では、プロセッサは、ベースバンドプロセッサと中央処理装置とを含んでもよい。ベースバンドプロセッサは通信プロトコルおよび通信データを処理するように主に構成され、中央処理装置は、端末デバイス全体を制御し、ソフトウェアプログラムを実行し、ソフトウェアプログラムのデータを処理するように主に構成される。ベースバンドプロセッサおよび中央処理装置の機能は、図7におけるプロセッサに統合されてもよい。当業者は、ベースバンドプロセッサおよび中央処理装置がそれぞれ独立したプロセッサであってもよく、バスなどの技術を使用して相互接続されることを理解することができる。当業者は、端末デバイスが異なるネットワーク規格に適応するため複数のベースバンドプロセッサを含んでもよく、端末デバイスが端末デバイスの処理能力を強化するために複数の中央処理装置を含んでもよく、端末デバイスの全ての構成要素が様々なバスを使用して相互に接続されてもよいことを理解することができる。ベースバンドプロセッサはまた、ベースバンド処理回路またはベースバンド処理チップとして表現されてもよい。中央処理装置はまた、中央処理回路または中央処理チップとして表現されてもよい。通信プロトコルおよび通信データを処理する機能は、プロセッサに組み込まれてもよく、または、ソフトウェアプログラムの形態で記憶ユニットに記憶されてもよい。プロセッサは、ベースバンド処理機能を実施するためにソフトウェアプログラムを実行する。
【０２０２】
本願のこの実施形態では、送受信機能を有するアンテナおよび制御回路は、端末デバイス70の送受信ユニット701と見なされてもよい。例えば、アンテナおよび制御回路は、図2において説明された受信機能を実行する際に端末デバイスをサポートするように構成される。処理機能を有するプロセッサは、端末デバイス70の処理ユニット702と見なされる。図7に示すように、端末デバイス70は、送受信ユニット701と処理ユニット702とを含む。送受信ユニットはまた、送受信機、送受信機器、送受信装置などと呼ばれてもよい。任意には、送受信ユニット701において受信機能を実施するように構成されたデバイスは受信ユニットと見なされてもよく、送受信ユニット701において送信機能を実施するように構成されたデバイスは送信ユニットと見なされてもよい。換言すれば、送受信ユニット701は、受信ユニットと送信ユニットとを含む。受信ユニットはまた、受信機、入力ポート、受信回路などと呼ばれてもよい。送信ユニットは、送信機器、送信機、送信回路などと呼ばれてもよい。
【０２０３】
プロセッサ702は、メモリに記憶された命令を実行し、信号を受信および／または信号を送信するために送受信ユニット701を制御して、前述の方法実施形態における端末デバイスの機能を完了するように構成されてもよい。一実施態様では、送受信ユニット701の機能は、送受信回路または送受信専用チップを使用して実施されると見なされてもよい。
【０２０４】
図8は、本願の一実施形態によるネットワークデバイスの概略構成図であり、例えば基地局の概略構造図であってもよい。図8に示すように、基地局は、前述の方法実施形態におけるネットワークデバイスの機能を実行するために図1に示すシステムに適用されてもよい。基地局80は、遠隔無線ユニット（remote radio unit、RRU）801などの1つ以上の無線周波数ユニットと、（デジタルユニット（digital unit、DU）とも呼ばれ得る1つ以上のベースバンドユニット（baseband unit、BBU）802とを含んでもよい。RRU801は、送受信ユニット、送受信機器、送受信回路、送受信機などと呼ばれてもよく、少なくとも1つのアンテナ8011と無線周波数ユニット8012とを含んでもよい。RRU801は、無線周波数信号の送受信および無線周波数信号とベースバンド信号との間の変換を実行するように主に構成され、例えば、前述の実施形態におけるシグナリングメッセージを端末デバイスに送信する。BBU802は、例えば、ベースバンド処理を実行し、基地局を制御するように主に構成される。RRU801およびBBU802は物理的に併設されてもよく、または、例えば分散基地局において物理的に分離されていてもよい。
【０２０５】
BBU802は、基地局の制御センタであり、または処理ユニットと呼ばれてもよく、チャネルの符号化、多重化、変調、およびスペクトル拡散などのベースバンド処理機能を完了するように主に構成される。例えば、BBU（処理ユニット）802は、前述の方法実施形態におけるネットワークデバイスの動作手順を実行するために基地局を制御するように構成されてもよい。
【０２０６】
一例では、BBU802は1つ以上の基板を含んでもよく、複数の基板は、単一のアクセス規格の（LTEネットワークなどの）無線アクセスネットワークを共同でサポートしてもよく、または異なるアクセス規格の無線アクセスネットワーク（例えば、LTEネットワーク、5Gネットワークまたは別のネットワーク）を別々にサポートしてもよい。BBU802は、メモリ8021とプロセッサ8022とをさらに含む。メモリ8021は、必要な命令および必要なデータを記憶するように構成される。プロセッサ8022は、例えば前述の方法実施形態におけるネットワークデバイスの動作手順を実行するために基地局を制御するなど、必要な動作を実行するために基地局を制御するように構成される。メモリ8021およびプロセッサ8022は、1つ以上の基板を提供してもよい。換言すれば、メモリおよびプロセッサは各基板上に別々に配置されてもよい。あるいは、複数の基板は同じメモリおよび同じプロセッサを共有してもよい。さらに、必要な回路が各基板にさらに配置されてもよい。
【０２０７】
図9は、通信装置900の概略構成図である。装置900は、前述の方法実施形態において説明された方法を実施するように構成されてもよい。詳細については、前述の方法実施形態における説明を参照されたい。通信装置900は、チップ、（基地局などの）ネットワークデバイス、端末デバイス、別のネットワークデバイスなどであってもよい。
【０２０８】
通信装置900は、1つ以上のプロセッサ901を含む。プロセッサ901は、汎用プロセッサ、専用プロセッサなどであってもよい。例えばプロセッサは、ベースバンドプロセッサまたは中央処理装置であってもよい。ベースバンドプロセッサは、通信プロトコルおよび通信データを処理するように構成されてもよい。中央処理装置は、（基地局、端末またはチップなどの）通信装置を制御し、ソフトウェアプログラムを実行し、ソフトウェアプログラムのデータを処理するように構成されてもよい。通信装置は、信号の入力（受信）および出力（送信）を実施するように構成された送受信ユニットを含んでもよい。例えば、通信装置はチップであってもよく、送受信ユニットは、チップの入力および／または出力回路、または通信インタフェースであってもよい。チップは、端末、基地局または別のネットワークデバイスによって使用されてもよい。別の例では、通信装置は、端末、基地局または別のネットワークデバイスであってもよく、送受信ユニットは、送受信機、無線周波数チップなどであってもよい。
【０２０９】
通信装置900は1つ以上のプロセッサ901を含み、1つ以上のプロセッサ901は、図2〜図6に示す実施形態におけるネットワークデバイスまたは端末デバイスに適用される方法を実施してもよい。
【０２１０】
可能な設計では、通信装置900は、ダウンリンク制御情報DCIを生成するように構成された手段（means）と、DCIを送信するように構成された手段（means）とを含む。DCIを生成するように構成されたmeansおよびDCIを送信するように構成されたmeansの機能は、1つ以上のプロセッサを使用して実施されてもよい。例えば、DCIは、1つ以上のプロセッサを使用して生成されてもよく、DCIは、送受信機、またはチップの入力／出力回路またはインタフェースを使用して送信されてもよい。指示情報については、前述の方法実施形態における関連説明を参照されたい。
【０２１１】
可能な設計では、通信装置900は、指示情報およびQCL情報を生成するように構成された手段（means）と、指示情報およびQCL情報を送信するように構成された手段（means）とを含む。指示情報およびQCL情報については、前述の方法実施形態における関連説明を参照されたい。例えば、指示情報およびQCL情報は、1つ以上のプロセッサを使用して生成されてもよく、指示情報およびQCL情報は、送受信機、またはチップの入力／出力回路またはインタフェースを使用して送信されてもよい。前述の方法実施形態における説明を参照すると、指示情報およびQCL情報はDCIを使用して送信されてもよく、または、QCL情報はRRCシグナリングなどの上位層シグナリングを使用して送信されてもよく、指示情報はDCIを使用して送信されてもよい。
【０２１２】
可能な設計では、通信装置900は、ダウンリンク制御情報DCIを受信するように構成された手段（means）と、DMRSアンテナポートを決定するように構成された手段（means）とを含む。DCIおよびDMRSアンテナポートを決定する方法については、前述の方法実施形態における関連説明を参照されたい。例えば、DCIは、送受信機、チップの入力／出力回路、またはインタフェースを使用して受信されてもよく、DMRSアンテナポートは、受信信号を復調するために1つ以上のプロセッサを使用してDCIに基づいて決定される。
【０２１３】
可能な設計では、通信装置900は、指示情報およびQCL情報を受信するように構成された手段（means）と、DMRSアンテナポートを決定するように構成された手段（means）とを含む。指示情報およびQCL情報、ならびに指示情報およびQCL情報に基づいてDMRSアンテナポートを決定する方法については、前述の方法実施形態における関連説明を参照されたい。例えば指示情報およびQCL情報は、送受信機、チップの入力／出力回路またはインタフェースを使用して受信されてもよく、DMRSアンテナポートは、受信信号を復調するために1つ以上のプロセッサを使用して指示情報およびQCL情報に基づいて決定される。
【０２１４】
任意には、図2〜図6に示す実施形態における方法に加えて、プロセッサ901は、別の機能をさらに実施してもよい。
【０２１５】
任意には、設計においてプロセッサ901はまた、命令903を含んでもよい。命令は、通信装置900が前述の方法実施形態において説明された方法を実行することを可能にするために、プロセッサ上で実行されてもよい。
【０２１６】
別の可能な設計では、通信装置900は回路も含んでもよい。回路は、前述の方法実施形態における機能を実施してもよい。
【０２１７】
さらに別の可能な設計では、通信装置900は、命令904を記憶する1つ以上のメモリ902を含んでもよい。命令は、通信装置900が前述の実施形態において説明された方法を実行することを可能にするために、プロセッサ上で実行されてもよい。任意には、メモリはデータをさらに記憶してもよい。任意には、プロセッサはまた、命令および／またはデータを記憶してもよい。例えば、1つ以上のメモリ902は、前述の実施形態において説明された指示情報と組合せ情報との間の対応、または組合せ情報に関連するパラメータ、あるいは前述の実施形態の関連パラメータまたはテーブルを記憶してもよい。プロセッサおよびメモリは別々に配置されてもよく、または一体に統合されてもよい。
【０２１８】
さらに別の可能な設計では、通信装置900は、送受信ユニット905とアンテナ906とを含んでもよい。プロセッサ901は処理ユニットと呼ばれてもよく、通信装置（端末または基地局）を制御する。送受信ユニット905は、送受信機器、送受信回路、送受信機などと呼ばれてもよく、アンテナ906を使用して通信装置の送受信機能および受信機能を実施するように構成される。
【０２１９】
本願の実施形態におけるプロセッサは、中央処理装置（Central Processing Unit、CPU）であってもよいことを理解されたい。プロセッサはさらに、別の汎用プロセッサ、デジタル信号プロセッサ（digital signal processor、DSP）、特定用途向け集積回路（application specific integrated circuit、ASIC）、フィールド・プログラマブル・ゲート・アレイ（field programmable gate array、FPGA）、または別のプログラム可能な論理デバイス、個別のゲートまたはトランジスタ論理デバイス、個別のハードウェアコンポーネントなどであってもよい。汎用プロセッサはマイクロプロセッサであってもよく、またはプロセッサは任意の従来のプロセッサなどであってもよい。
【０２２０】
さらに、本願の実施形態におけるメモリが、揮発性メモリまたは不揮発性メモリであってもよく、または揮発性メモリおよび不揮発性メモリの両方を含んでもよいことを理解されたい。不揮発性メモリは、読出し専用メモリ（read-only memory、ROM）、プログラム可能な読出し専用メモリ（programmable ROM、PROM）、消去可能でプログラム可能な読出し専用メモリ（erasable PROM、EPROM）、電気的消去可能でプログラム可能な読出し専用メモリ（electrically EPROM、EEPROM）、またはフラッシュメモリであってもよい。揮発性メモリは、外部キャッシュとして使用されるランダムアクセスメモリ（random access memory、RAM）であってもよい。例示的だが限定的ではない説明を通じて、例えば、スタティックランダムアクセスメモリ（static RAM、SRAM）、ダイナミックランダムアクセスメモリ（DRAM）、同期ダイナミックランダムアクセスメモリ（synchronous DRAM、SDRAM）、ダブルデータレート同期ダイナミックランダムアクセスメモリ（double data rate SDRAM、DDR SDRAM）、拡張同期ダイナミックランダムアクセスメモリ（enhanced SDRAM、ESDRAM）、同期リンクダイナミックランダムアクセスメモリ（synchlink DRAM、SLDRAM）、およびダイレクト・ラムバス・ダイナミックランダムアクセスメモリ（direct rambus RAM、DR RAM）などの多くの形式のランダムアクセスメモリ（random access memory、RAM）が使用されてもよい。
【０２２１】
前述の実施形態の全てまたはいくつかは、ソフトウェア、ハードウェア、ファームウェアまたはそれらの任意の組合せによって実施されてもよい。実施形態を実施するためにソフトウェアが使用される場合、前述の実施形態は、コンピュータプログラム製品の形態で完全または部分的に実施されてもよい。コンピュータプログラム製品は、1つ以上のコンピュータ命令またはコンピュータプログラムを含む。プログラム命令またはコンピュータプログラムがコンピュータにロードされて実行されると、本願の実施形態による手順または機能が全てまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよく、または、コンピュータ可読記憶媒体から別のコンピュータ可読記憶媒体に送信されてもよい。例えば、コンピュータ命令は、有線または無線（例えば赤外線、無線、またはマイクロ波）の方式で、ウェブサイト、コンピュータ、サーバまたはデータセンタから別のウェブサイト、コンピュータ、サーバまたはデータセンタに送信されてもよい。コンピュータ可読記憶媒体は、1つ以上の使用可能な媒体を含む、コンピュータによってアクセス可能な任意の使用可能な媒体、またはサーバまたはデータセンタなどのデータ記憶デバイスであってもよい。使用可能な媒体は、磁気媒体（例えばフロッピー（登録商標）ディスク、ハードディスクまたは磁気テープ）、光学媒体（例えばDVD）または半導体媒体であってもよい。半導体媒体は、ソリッドステートドライブであってもよい。
【０２２２】
本明細書における用語「および／または」は、関連付けられたオブジェクトを説明するための関連関係のみを説明しており、3つの関係が存在する場合があることを表していることを理解されたい。例えばAおよび／またはBは、以下の3つの場合、つまり、Aのみが存在すること、AおよびBの両方が存在すること、そしてBのみが存在することを表してもよい。さらに、本明細書における記号「／」は、関連するオブジェクト間の「または」の関係を一般に示している。
【０２２３】
前述の処理の順序番号は、本願の様々な実施形態における実行順序を意味しないことを理解されたい。処理の実行順序は、処理の機能および内部論理に従って決定されるべきであり、本願の実施形態の実施処理に対する任意の限定として解釈されるべきではない。
【０２２４】
当業者は、本明細書に開示の実施形態において説明される例と組み合わせて、ユニットおよびアルゴリズムステップが、電子ハードウェアまたはコンピュータソフトウェアと電子ハードウェアとの組合せによって実施されてもよいことを認識している場合がある。機能がハードウェアとソフトウェアのいずれによって実行されるかは、特定の用途と技術的解決策の設計制約条件とに依存する。当業者は、説明された機能を特定の用途ごとに実施するために異なる方法を使用してもよいが、実施態様が本願の範囲を超えていると見なされるべきではない。
【０２２５】
当業者は、簡便かつ簡潔な説明のために、前述のシステム、装置およびユニットの詳細な作業処理については、前述の方法実施形態における対応する処理を参照し、詳細については本明細書では再び説明されないことを明確に理解することができる。
【０２２６】
本明細書に提供されたいくつかの実施例では、開示されたシステム、装置および方法がその他の方法で実施されてもよいことを理解されたい。例えば、記載の装置の実施例は、単なる一例である。例えば、ユニットの分割は、単なる論理機能の分割であり、実際の実施におけるその他の分割であってもよい。例えば、複数のユニットまたは構成要素が、組み合わされるかまたは他のシステムに統合されてもよく、あるいは、いくつかの機能が無視されるか実行されなくてもよい。さらに、提示または説明した相互結合、直接結合または通信接続は、いくつかのインタフェースを使用して実施されてもよい。装置またはユニット間の間接的結合または通信接続は、電子的に、機械的に、またはその他の形態で実施されてもよい。
【０２２７】
別個の部品として説明されたユニットは、物理的に分離されてもよいし、物理的に分離されなくてもよく、ユニットとして提示された部品は、物理的なユニットであってもよいし、物理的なユニットでなくてもよく、1つの位置に配置されてもよく、あるいは、複数のネットワークユニットに分散されてもよい。ユニットの一部または全ては、本実施形態の解決策の目的を達成するために実際の要件に基づいて選択されてもよい。
【０２２８】
さらに、本願の実施例における機能ユニットは1つの処理ユニットに統合されてもよく、または、ユニットの各々は物理的に単独で存在してもよく、あるいは、2つ以上のユニットは1つのユニットに統合されてもよい。
【０２２９】
機能がソフトウェア機能ユニットの形態で実施され、単独の製品として販売されるかまたは使用される場合、機能は、コンピュータ可読記憶媒体に記憶されてもよい。このような理解に基づいて、本質的には本願、または先行技術に寄与する部分の技術的解決策、または技術的解決策の一部が、ソフトウェア製品の形態で実施されてもよい。ソフトウェア製品は記憶媒体に記憶されており、（パーソナルコンピュータ、サーバまたはネットワークデバイスであってもよい）コンピュータデバイスに本願の実施例において説明された方法のステップの全てまたは一部を実行するように命令するためのいくつかの命令を含む。前述の記憶媒体は、例えばUSBフラッシュドライブ、リムーバブルハードディスク、読出し専用メモリ（Read-Only Memory、ROM）、ランダムアクセスメモリ（Random Access Memory、RAM）、磁気ディスク、または光ディスクなどの、プログラムコードを記憶することができる任意の媒体を含む。
【０２３０】
前述の説明は、本願の特定の実施態様にすぎないが、本願の保護範囲を限定するものではない。本明細書において開示された技術的範囲内の、当業者にとって容易に見当がつく任意の変形または置換は、本願の保護範囲内に収まるものとする。したがって、本願の保護範囲は、特許請求の範囲の保護範囲に従うものとする。
【符号の説明】
【０２３１】
70  端末デバイス
80  基地局
701  送受信ユニット
702  処理ユニット
801  遠隔無線ユニット
802  ベースバンドユニット
900  通信装置
901  プロセッサ
902  メモリ
903  命令
904  命令
905  送受信ユニット
906  アンテナ
8011  アンテナ
8012  無線周波数ユニット
8021  メモリ
8022  プロセッサ
【図１】
2021503796.tif 000003
【図２】
2021503796.tif 000004
【図３】
2021503796.tif 000005
【図４】
2021503796.tif 000006
【図５】
2021503796.tif 000007
【図６】
2021503796.tif 000008
【図７】
2021503796.tif 000009
【図８】
2021503796.tif 000010
【図９】
2021503796.tif 000011
【手続補正書】
【提出日】令和2年6月24日(2020.6.24)
【手続補正１】
【補正対象書類名】明細書
【補正対象項目名】０００３
【補正方法】変更
【補正の内容】
【０００３】
従来のセルの場合、アップリンク周波数はダウンリンク周波数と同じであるかまたは類似している。ダウンリンクの場合、基地局の送信電力は基本的に無制限であるが、端末デバイスの送信電力は、バッテリおよびコストなどの要因のために制限される。セルのカバレッジを増加させるために、基地局は、ダウンリンクのカバレッジを増加させるためにより大きな送信電力を送信に使用してもよいが、最大送信電力の制限などの理由のために、端末デバイスは、ダウンリンクと同じ（すなわち、送信電力を増加させる）方法を使用してアップリンクのカバレッジを増加させることができない。その結果、アップリンクのカバレッジはダウンリンクのカバレッジと一致しない。新しい技術では、元のアップリンクに加えて、セルは補助アップリンク（Supplementary Uplink、SUL）キャリアと呼ばれる、より低い周波数を有する追加のアップリンク周波数帯を有してもよい。端末デバイスは、SULを使用してアップリンク送信を実行してもよく、それによってアップリンクのカバレッジを改善する。
【手続補正２】
【補正対象書類名】特許請求の範囲
【補正対象項目名】全文
【補正方法】変更
【補正の内容】
【特許請求の範囲】
【請求項１】
通信方法であって、前記方法が、
端末デバイスにより、ブロードキャスト情報を受信するステップであって、前記ブロードキャスト情報が第1のセルのための第1のパラメータおよび第2のパラメータを含み、前記第1のパラメータが、補助アップリンク（SUL）キャリア送信をサポートする端末デバイスに対して前記第1のセルが必要とする最小受信レベル値を示し、前記第2のパラメータが、SULキャリア送信をサポートしない端末デバイスに対して前記第1のセルが必要とする最小受信レベル値を示す、ステップと、
前記端末デバイスがSULキャリア送信をサポートする場合、前記端末デバイスにより、前記第1のパラメータに基づいてセル選択またはセル再選択を実行するステップ、または
前記端末デバイスがSULキャリア送信をサポートしない場合、前記端末デバイスにより、前記第2のパラメータに基づいてセル選択またはセル再選択を実行するステップと
を含む、方法。
【請求項２】
前記端末デバイスがSULキャリア送信をサポートする場合、前記端末デバイスにより、前記第1のパラメータに基づいてセル選択またはセル再選択を実行する前記ステップが、
前記第1のパラメータに基づいて、前記第1のセルにキャンプオンするか否か、または前記第1のセルを再選択するか否かを決定するステップ
を含む、請求項1に記載の方法。
【請求項３】
前記端末デバイスがSULキャリア送信をサポートしない場合、前記端末デバイスにより、前記第2のパラメータに基づいてセル選択またはセル再選択を実行する前記ステップが、
前記第2のパラメータに基づいて、前記第1のセルにキャンプオンするか否か、または前記第1のセルを再選択するか否かを決定するステップ
を含む、請求項1または2に記載の方法。
【請求項４】
前記第2のパラメータに基づいて、前記第1のセルにキャンプオンするか否か、または前記第1のセルを再選択するか否かを決定する前記ステップが、
Srxlevに基づいて、前記第1のセルにキャンプオンするか否か、または前記第1のセルを再選択するか否かを決定するステップであって、Srxlev_1＝Qrxlevmeas−（Qrxlevmin−Qrxlevminoffset−Offset_1）−Pcompensationであり、ここで、Qrxlevmeasが、前記端末デバイスによって測定された受信信号強度値であり、前記受信信号強度値が、測定された基準信号受信電力（RSRP）であり、Qrxlevminが、前記第2のパラメータによって示され、Qrxlevminoffsetが、Qrxlevminへのオフセットを有するパラメータであり、Offset_1がオフセット値であり、前記オフセット値が、前記端末デバイスの能力またはネットワークデバイスの構成に基づいて前記ネットワークデバイスによって設定され、Pcompensationが、（PEMAX−PUMAX）または0のうちのより大きい値であり、PEMAXが最大許容送信電力であり、PUMAXが最大出力電力である、ステップ
を含む、請求項3に記載の方法。
【請求項５】
前記第1のセルが、前記端末デバイスのサービングセルまたは隣接セルである、請求項1から4のいずれか一項に記載の方法。
【請求項６】
前記第1のパラメータの値が、前記第2のパラメータの値よりも小さい、請求項1から5のいずれか一項に記載の方法。
【請求項７】
前記ブロードキャスト情報が前記第1のセルのための前記第1のパラメータおよび前記第2のパラメータを含むと決定した後、前記端末デバイスが、前記第1のセルの周波数帯がSUL周波数帯を含むと決定する、請求項1から6のいずれか一項に記載の方法。
【請求項８】
通信方法であって、前記方法が、
ネットワークデバイスにより、端末デバイスにブロードキャスト情報を送信するステップであって、前記ブロードキャスト情報が、第1のセルのための第1のパラメータおよび第2のパラメータを含み、前記第1のパラメータが、補助アップリンク（SUL）キャリア送信をサポートする端末デバイスに対して前記第1のセルが必要とする最小受信レベル値を示し、前記第2のパラメータが、SULキャリア送信をサポートしない端末デバイスに対して前記第1のセルが必要とする最小受信レベル値を示す、ステップ
を含む、方法。
【請求項９】
前記第1のセルが、前記端末デバイスのサービングセルまたは隣接セルである、請求項8に記載の方法。
【請求項１０】
前記第1のパラメータの値が、前記第2のパラメータの値よりも小さい、請求項8または9に記載の方法。
【請求項１１】
請求項1から7のいずれか一項に記載の方法を実行するように構成された通信装置。
【請求項１２】
請求項8から10のいずれか一項に記載の方法を実行するように構成された通信装置。
【請求項１３】
請求項11に記載の通信装置と、請求項12に記載の通信装置とを備える通信システム。
【請求項１４】
通信装置であって、
コンピュータプログラムを記憶するように構成されたメモリと、
前記メモリに記憶された前記コンピュータプログラムを実行して、前記装置が請求項1から10のいずれか一項に記載の方法を実行することを可能にするように構成されたプロセッサと
を備える通信装置。
【請求項１５】
プログラムまたは命令を含むコンピュータ可読記憶媒体であって、前記プログラムまたは前記命令がコンピュータ上で実行されると、請求項1から10のいずれか一項に記載の方法が実行される、コンピュータ可読記憶媒体。
【国際調査報告】
2021503796.tif 000012
2021503796.tif 000013
2021503796.tif 000014
2021503796.tif 000015